(57)【要約】【課題】変換部材（例えば量子ドット部材）を有する発光装置の発光色を調整することができる技術を提供する。【解決手段】本発明の発光装置は、光源部と、前記光源部から発せられた光の一部を変換して出射し、且つ、前記発光部から発せられた光の一部を変換せずに出射する変換部材と、前記変換部材から出射される光が変わるように、前記変換部材を駆動する駆動手段と、を有する。【選択図】図１
2018081791.tif 000002
【特許請求の範囲】
【請求項１】
光源部と、
前記光源部から発せられた光の一部を変換して出射し、且つ、前記発光部から発せられた光の一部を変換せずに出射する変換部材と、
前記変換部材から出射される光が変わるように、前記変換部材を駆動する駆動手段と、を有することを特徴とする発光装置。
【請求項２】
前記駆動手段は、前記変換部材における、前記光源部から発せられた光が通る通過領域のサイズが変わるように、前記変換部材を駆動する
ことを特徴とする請求項１に記載の発光装置。
【請求項３】
前記駆動手段は、前記変換部材における、前記光源部から発せられた光が照射される照射領域のサイズが変わるように、前記変換部材を駆動する
ことを特徴とする請求項１または２に記載の発光装置。
【請求項４】
前記変換部材の内部において、前記光源部から発せられた光を変換する変換特性は不均一であり、
前記駆動手段は、前記変換部材における、前記光源部から発せられた光が通る通過領域が変わるように、前記変換部材を駆動する
ことを特徴とする請求項１〜３のいずれか１項に記載の発光装置。
【請求項５】
前記駆動手段は、前記光源部の発光方向に非平行なスライド方向に沿って前記変換部材を移動させる
ことを特徴とする請求項１〜４のいずれか１項に記載の発光装置。
【請求項６】
前記スライド方向は、前記光源部の発光方向に略垂直な方向である
ことを特徴とする請求項５に記載の発光装置。
【請求項７】
前記変換部材において、前記光源部の発光方向に略平行な方向の厚さは不均一である
ことを特徴とする請求項５または６に記載の発光装置。
【請求項８】
前記変換部材は、前記スライド方向に沿って前記厚さが徐々に増加するくさび形状を有する
ことを特徴とする請求項７に記載の発光装置。
【請求項９】
前記変換部材は、複数の量子ドットを有し、
前記スライド方向において、前記量子ドットのサイズが不均一である
ことを特徴とする請求項５〜８のいずれか１項に記載の発光装置。
【請求項１０】
前記スライド方向に沿って、前記量子ドットのサイズが徐々に増加する
ことを特徴とする請求項９に記載の発光装置。
【請求項１１】
前記駆動手段は、前記光源部の発光方向に非平行な方向を軸として、前記変換部材を回転させる
ことを特徴とする請求項１〜４のいずれか１項に記載の発光装置。
【請求項１２】
前記駆動手段は、前記光源部の発光方向に略垂直な方向を軸として、前記変換部材を回転させる
ことを特徴とする請求項１１に記載の発光装置。
【請求項１３】
前記駆動手段は、前記変換部材の端部、または、前記変換部材の中心部を中心として、前記変換部材を回転させる
ことを特徴とする請求項１１または１２に記載の発光装置。
【請求項１４】
前記発光装置は、前記光源部に対して複数の前記変換部材を有し、
前記駆動手段は、各変換部材を個別に駆動する
ことを特徴とする請求項１〜１３のいずれか１項に記載の発光装置。
【請求項１５】
前記光源部は、青色の光を発し、
前記複数の変換部材は、
前記青色の光を赤色の光に変換する変換部材であるＲ変換部材と、
前記青色の光を緑色の光に変換する変換部材であるＧ変換部材と、
を含む
ことを特徴とする請求項１４に記載の発光装置。
【請求項１６】
前記発光装置は、各々が前記光源部と前記変換部材を有する複数の部分発光部を有し、
前記駆動手段は、各変換部材を個別に駆動する
ことを特徴とする請求項１〜１５のいずれか１項に記載の発光装置。
【請求項１７】
前記光源部は、紫外光を発し、
前記複数の変換部材は、
前記紫外光を赤色の光に変換する変換部材であるＲ変換部材と、
前記紫外光を緑色の光に変換する変換部材であるＧ変換部材と、
前記紫外光を青色の光に変換する変換部材であるＢ変換部材と、
を含む
ことを特徴とする請求項１４に記載の発光装置。
【請求項１８】
前記発光装置から発せられた光を検出する検出手段、を有し、
前記駆動手段は、前記検出手段の検出値が所定の目標値に近づくように、前記変換部材を駆動する
ことを特徴とする請求項１〜１７のいずれか１項に記載の発光装置。
【請求項１９】
前記駆動手段は、前記変換部材の複数の状態にそれぞれ対応する前記検出手段の複数の検出値に基づいて、前記変換部材を駆動する
ことを特徴とする請求項１８に記載の発光装置。
【請求項２０】
前記駆動手段は、前記複数の検出値のうちの、前記所定の目標値に最も近い検出値に対応する前記状態が実現されるように、前記変換部材を駆動する
ことを特徴とする請求項１９に記載の発光装置。
【請求項２１】
各部分発光部から発せられた光を検出する検出手段、を有し、
前記駆動手段は、前記複数の部分発光部にそれぞれ対応する前記検出手段の複数の検出値が所定の目標値に近づき、且つ、前記複数の部分発光部の間における前記検出手段の検出値のばらつきが低減するように、各変換部材を駆動する
ことを特徴とする請求項１６に記載の発光装置。
【請求項２２】
前記発光装置から発せられた光を検出する検出手段と、
前記光源部の発光輝度を制御する制御手段と、
をさらに有し、
前記検出手段の検出値が所定の目標値に近づくように、前記変換部材の駆動と、前記光源部の発光輝度の制御とが行われる
ことを特徴とする請求項１〜１６のいずれか１項に記載の発光装置。
【請求項２３】
請求項１〜２２のいずれか１項に記載の発光装置と、
前記発光装置から発せられた光を変調することにより画像を表示する表示部と、
を有することを特徴とする表示装置。
【発明の詳細な説明】
【技術分野】
【０００１】
本発明は、発光装置および表示装置に関する。
【背景技術】
【０００２】
照射された光に応じて励起が引き起こされることにより発光する蛍光体として、量子ドットが知られている。以後、量子ドットの励起を引き起こす光を「励起光」と記載し、励起によって量子ドットから発せられた光を「蛍光」と記載する。量子ドットは、半導体の粒であり、数ｎｍ〜２０ｎｍ程度のサイズ（粒径）を有する。量子ドットでは、電子の閉じ込めにより、発光エネルギーが限定される。そのため、量子ドットは高い量子効率を有し、蛍光は鋭いスペクトル（波長幅が狭いスペクトル）を有する。「光のスペクトルが鋭い」ことは、「光の色純度が高い」ことを意味する。量子ドットは、当該量子ドットのサイズが小さいほど短い主波長（ピーク波長）を有する蛍光を発する。換言すれば、量子ドットは、当該量子ドットのサイズが大きいほど長い主波長を有する蛍光を発する。蛍光は、量子ドットの材料にも依存する。そのため、量子ドットのサイズ、量子ドットの材料、等を調整することにより、所望の主波長を有する蛍光を得ることができる。このように、量子ドットを用いることにより、色純度が高く且つ所望の主波長を有する蛍光を得ることができる。そのため、量子ドットを用いた表示装置が提案されている（特許文献１）。
【０００３】
エッジ型（サイドライト型）バックライトユニットを有する液晶表示装置に量子ドットを用いた場合の例を説明する。エッジ型バックライトユニットは、導光板と、導光板の辺（側面；エッジ）に対して設けられた光源と、を有する発光装置である。光源は、導光板の辺に向かって光を発する。光源から発せられて導光板に入射した光は、導光板内で拡散される。そして、導光板の前面は、液晶パネルの背面と対向しており、拡散後の光は、導光板の前面から液晶パネルの背面に向かって発せられる。量子ドットを有する液晶表示装置では、例えば、量子ドットを有する量子ドット部材が、導光板と光源の間に設けられる。そして、光源から発せられた光が、励起光として使用される。量子ドット部材は、例えば、複数の量子ドットを内包したガラス製の部材である。
【０００４】
ここで、量子ドットの発光の原理について、大まかに説明する。量子ドットに励起光が照射されると、量子ドット内の電子の励起が引き起こされる。その後、電子のバンドギャップエネルギーに相当する波長の光（蛍光）を電子が放出し、電子が安定化する。バンドギャップエネルギーは、量子ドットが有する固有のエネルギーである。そのため、バンドギャップエネルギーが所望の色に対応する量子ドットを生成して使用することにより、所望の色の蛍光を得ることができる。
【０００５】
量子ドットを有する液晶表示装置では、例えば、光源として、青色光を発するＢ光源が使用される。そして、量子ドットとして、青色光を励起光として用いて赤色光を蛍光として発するＲ量子ドットと、青色光を励起光として用いて赤色光を蛍光として発するＲ量子ドットとが使用される。
【０００６】
Ｂ光源から発せられた青色光は、量子ドット部材に入射する。量子ドット部材に入射した青色光の一部はＲ量子ドットに照射され、量子ドット部材に入射した青色光の一部はＧ量子ドットに照射される。そして、量子ドット部材に入射した青色光の一部は、Ｒ量子ドットにもＧ量子ドットにも照射されずに、量子ドット部材を透過する。そのため、量子ドット部材に入射した青色光の一部は、Ｒ量子ドットで赤色光に変換されて量子ドット部材から出射され、量子ドット部材に入射した青色光の一部は、Ｇ量子ドットで緑色光に変換されて量子ドット部材から出射される。そして、量子ドット部材に入射した青色光の一部
は、Ｒ量子ドットでもＧ量子ドットでも変換されずに、量子ドット部材から出射される。その結果、量子ドット部材から、赤色光、緑色光、及び、青色光を含む合成光（例えば白色光）が発せられる。
【０００７】
量子ドット部材から発せられた合成光は、導光板に入射し、導光板内で拡散される。そして、拡散後の合成光は、導光板の前面から液晶パネルの背面に向かって発せられる。導光板から発せられた合成光が液晶パネルを透過することにより、画面に画像が表示される。ここで、合成光（量子ドット部材から発せられた合成光；導光板から発せられた合成光）に含まれる複数の色成分光（赤色光、緑色光、及び、青色光）のそれぞれは、鋭いスペクトルを有する。そのため、広色域の色が表示可能となる。このように、量子ドットを用いることにより、１種類（１色）の光源を用いて、所望の光を得ることができる。
【０００８】
合成光（光の色、光の輝度、光のスペクトルの形状、等）は、励起光の輝度（強度；光量）、量子ドットの数、等に依存する。そのため、合成光として所望の光を得るためには、量子ドットの数を調整して量子ドット部材を作成する必要がある。しかしながら、量子ドットの数の調整は非常に難しい。
【０００９】
また、励起光と蛍光とには、劣化などに起因した経時変化が生じる。そのため、合成光には、光源の劣化、量子ドット部材の劣化、等に起因した経時変化が生じる。しかしながら、量子ドットを用いた従来の発光装置（上述したエッジ型バックライトユニット）では、発光装置の製造後に、発光装置の発光色（合成光の色）を調整することはできない。そのため、発光装置の発光色の経時変化が生じた場合に、発光装置の発光色を所望の発光色に近づけることはできない。
【００１０】
上述した液晶表示装置では、液晶パネルの透過率を調整することで、エッジ型バックライトユニットの発光色の変化に起因した表示色（画面の色）の変化を低減することができる。例えば、液晶パネルは、赤色光を透過するＲ液晶素子、緑色光を透過するＧ液晶素子、及び、青色光を透過するＢ液晶素子を有し、Ｒ液晶素子の透過率、Ｇ液晶素子の透過率、及び、Ｂ液晶素子の透過率の少なくともいずれかが調整される。しかしながら、液晶パネルの透過率の調整では、エッジ型バックライトユニットから発せられた光に含まれる複数の色成分光のうちの、輝度が最も低い色成分光の輝度が基準とされる。具体的には、輝度が最も低い色成分光の輝度に基づいて、他の色成分光に対応する液晶素子の透過率が低減される。そのため、画面全体で表示輝度が低下する。その結果、表示輝度の範囲が狭まる。また、透過率の調整は、画像データの階調値の調整によって実現される。そのため、透過率の調整によって、表示可能な階調値の数が減る。その結果、表示画像（画面に表示された画像）の階調性が低下し、表示画像のコントラストが低下する。
【先行技術文献】
【特許文献】
【００１１】
【特許文献１】特開２００６−３１０３０３号公報
【発明の概要】
【発明が解決しようとする課題】
【００１２】
本発明は、変換部材（例えば量子ドット部材）を有する発光装置の発光色を調整することができる技術を提供することを目的とする。
【課題を解決するための手段】
【００１３】
本発明の第１の態様は、
光源部と、
前記光源部から発せられた光の一部を変換して出射し、且つ、前記発光部から発せられ
た光の一部を変換せずに出射する変換部材と、
前記変換部材から出射される光が変わるように、前記変換部材を駆動する駆動手段と、を有することを特徴とする発光装置である。
【００１４】
本発明の第２の態様は、
本発明の第１の態様である発光装置と、
前記発光装置から発せられた光を変調することにより画像を表示する表示部と、
を有することを特徴とする表示装置である。
【発明の効果】
【００１５】
本発明によれば、変換部材（例えば量子ドット部材）を有する発光装置の発光色を調整することができる。
【図面の簡単な説明】
【００１６】
【図１】実施例１に係る液晶表示装置の構成例
【図２】実施例１に係るバックライトユニットの発光色の調整方法の一例
【図３】実施例１に係るバックライトユニットの発光色の調整方法の一例
【図４】実施例１に係る液晶表示装置の構成例
【図５】実施例１に係るバックライトユニットの構成例
【図６】実施例１に係る量子ドット部材の駆動方法の一例
【図７】実施例１に係る液晶表示装置の処理フローの一例
【図８】実施例１に係るキャリブレーション処理の処理フローの一例
【図９】実施例１に係るバックライトユニットの構成例
【図１０】実施例２に係るバックライトユニットの構成例
【図１１】実施例２に係るバックライトユニットの構成例
【図１２】実施例２に係る量子ドット部材の駆動方法の一例
【図１３】実施例３に係るバックライトユニットの構成例
【図１４】実施例３に係るバックライトユニットの発光色の調整方法の一例
【図１５】実施例３に係るキャリブレーション処理の処理フローの一例
【図１６】実施例４に係るバックライトユニットの構成例
【図１７】実施例４に係るキャリブレーション処理の処理フローの一例
【発明を実施するための形態】
【００１７】
＜実施例１＞
以下、本発明の実施例１について説明する。本実施例に係る発光装置は、発光装置から発せられた光を変調することにより画像を表示する表示部を有する表示装置で使用することができる。光の変調は、光の透過、光の反射、等である。例えば、本実施例に係る発光装置は、表示部が液晶パネルを有する液晶表示装置のバックライトユニットとして使用することができる。本実施例に係る発光装置は、液晶素子の代わりにＭＥＭＳ（Ｍｉｃｒｏ
Ｅｌｅｃｔｒｏ  Ｍｅｃｈａｎｉｃａｌ  Ｓｙｓｔｅｍ）シャッターを用いたＭＥＭＳシャッター方式表示装置でも使用することができる。本実施例に係る発光装置は、広告標識装置、標識表示装置、等の表示装置でも使用することができる。本実施例に係る発光装置は、街灯、室内照明、顕微鏡照明、等の照明装置としても使用することができる。
【００１８】
図１（Ａ）は、本実施例に係る液晶表示装置の構成例を示す正面図である。図１（Ａ）に示すように、本実施例に係る液晶表示装置は、バックライトユニット１００（発光装置）と液晶パネル１０５とを有する。
【００１９】
バックライトユニット１００は、導光板と、導光板の辺（側面；エッジ）に対して設けられた光源部と、を有する。即ち、バックライトユニット１００は、エッジ型（サイドラ
イト型）バックライトユニットである。具体的には、バックライトユニット１００は、導光板１０１、複数のＢＬＥＤ１０２を有する光源部、Ｒ量子ドット部材１０３（Ｒ変換部材）、及び、Ｇ量子ドット部材１０４（Ｇ変換部材）を有する。
【００２０】
ＢＬＥＤ１０２は、青色光（青色の光）を発する発光ダイオード（ＬＥＤ）である。複数のＢＬＥＤ１０２は、導光板１０１の下端（下側の辺）に沿って並べられている。なお、光源部が有する発光素子の数は特に限定されない。光源部が１つの発光素子を有していてもよいし、光源部が複数の発光素子を有していてもよい。光源部の配置も特に限定されない。例えば、導光板１０１の右端に沿って複数のＢＬＥＤ１０２が並べられていてもよい。発光装置が有する光源部の数も特に限定されない。発光装置が１つの光源部を有していてもよいし、発光装置が複数の光源部を有していてもよい。発光素子は、ＬＥＤに限られない。発光素子として、レーザー素子、有機ＥＬ素子、プラズマ素子、冷陰極管、等が使用されてもよい。光源部から発せられる光は青色光に限られない。後述する「励起光」として使用できる光であれば、光源部から発せられる光は特に限定されない。複数種類の発光素子、複数種類の光源部、等が使用されてもよい。
【００２１】
Ｒ量子ドット部材１０３とＧ量子ドット部材１０４は、導光板１０１と複数のＢＬＥＤ１０２との間に設けられている。Ｒ量子ドット部材１０３とＧ量子ドット部材１０４のそれぞれは、ＢＬＥＤ１０２から発せられた青色光の一部を変換して出射し、且つ、ＢＬＥＤ１０２から発せられた青色光の一部を変換せずに出射する変換部材である。そのため、ＢＬＥＤ１０２から発せられた青色光の一部を変換して得られた光と、ＢＬＥＤ１０２から発せられた青色光の一部とを少なくとも含む合成光が、変換部材から発せられる。このように、ＢＬＥＤ１０２から発せられた青色光は、変換部材での変換のための光（後述する「励起光」）としての役割と、変換部材から発せられた合成光に含まれる光（青色光）としての役割との２つの役割を担う。
【００２２】
Ｒ量子ドット部材１０３とＧ量子ドット部材１０４のそれぞれは、照射された光に応じて励起が引き起こされることにより発光する蛍光体として、量子ドットを有する。例えば、Ｒ量子ドット部材１０３とＧ量子ドット部材１０４のそれぞれは、複数の量子ドットを内包したガラス製の部材である。以後、量子ドットの励起を引き起こす光を「励起光」と記載し、励起によって量子ドットから発せられた光を「蛍光」と記載する。蛍光は鋭いスペクトル（波長幅が狭いスペクトル）を有する。「光のスペクトルが鋭い」ことは、「光の色純度が高い」ことを意味する。
【００２３】
Ｒ量子ドット部材１０３は、青色光を励起光として用いて赤色光（赤色の光）を蛍光として発する量子ドットであるＲ量子ドットを複数有する。そのため、Ｒ量子ドット部材１０３は、Ｒ量子ドット部材１０３に入射した青色光の一部を赤色光に変換して出射し、Ｒ量子ドット部材１０３に入射した青色光の一部を変換せずに出射する。Ｒ量子ドット部材１０３は、ＢＬＥＤ１０２とＧ量子ドット部材１０４の間に設けられている。そのため、本実施例では、ＢＬＥＤ１０２から発せられた青色光がＲ量子ドット部材１０３に入射する。
【００２４】
Ｇ量子ドット部材１０４は、青色光を励起光として用いて緑色光（緑色の光）を蛍光として発する量子ドットであるＧ量子ドットを複数有する。そのため、Ｇ量子ドット部材１０４は、Ｇ量子ドット部材１０４に入射した青色光の一部を緑色光に変換して出射し、Ｇ量子ドット部材１０４に入射した青色光の一部を変換せずに出射する。詳細は後述するが、本実施例では、Ｒ量子ドット部材１０３とＧ量子ドット部材１０４のそれぞれが個別に駆動される。変換部材の駆動は、変換部材の移動、変換部材の回転、等である。そのため、ＢＬＥＤ１０２から発せられた青色光がＧ量子ドット部材１０４に入射したり、Ｒ量子ドット部材１０３から発せられた光（青色光と赤色光を含む光）がＧ量子ドット部材１０
４に入射したりする。励起光以外の光が変換部材に入射した場合には、当該光は、変換部材で変換されずに、変換部材から出射される。そのため、赤色光がＧ量子ドット部材１０４に入射した場合には、赤色光は、Ｇ量子ドット部材１０４で変換されずに、Ｇ量子ドット部材１０４から出射される。
【００２５】
なお、Ｒ量子ドット部材１０３とＧ量子ドット部材１０４の配置は特に限定されない。例えば、ＢＬＥＤ１０２とＲ量子ドット部材１０３の間にＧ量子ドット部材１０４が設けられていてもよい。光源部に対して設けられた変化部材の数、光源部に対して設けられた変化部材の種類、等は特に限定されない。光源部に対して１つの変換部材が設けられていてもよいし、光源部に対して複数の変換部材が設けられていてもよい。変換後の光（蛍光）の色が赤色および緑色とは異なる変換部材が使用されてもよい。量子ドットとは異なる蛍光体を有する変換部材が使用されてもよい。
【００２６】
導光板１０１は、導光板１０１に入射した光を、導光板１０１の内部で拡散する。そして、導光板１０１は、拡散後の光を、導光板１０１の前面などから出射する。導光板１０１の前面は液晶パネル１０５の背面と対向しており、導光板１０１の前面から発せられた光は、液晶パネル１０５の背面に照射される。本実施例では、ＢＬＥＤ１０２から発せられた青色光が導光板１０１に入射したり、Ｒ量子ドット部材１０３から発せられた光が導光板１０１に入射したり、Ｇ量子ドット部材１０３から発せられた光が導光板１０１に入射したりする。Ｒ量子ドット部材１０３から発せられた光は、青色光と赤色光を含む光であり、Ｇ量子ドット部材１０３から発せられた光は、青色光と緑色光を含む光、または、青色光と緑色光と赤色光を含む光である。
【００２７】
液晶パネル１０５は、並べられた複数の液晶素子を有する液晶層、偏光フィルタ、透明電極、カラーフィルタ、等を積層した構成を有する。本実施例では、液晶パネル１０５は、各画素について、赤色光を透過するＲ液晶素子、緑色光を透過するＧ液晶素子、及び、青色光を透過するＢ液晶素子を有する。各液晶素子の透過率は、画像データに基づいて個別に制御される。バックライトユニット１００（導光板１０１の前面）から発せられた光が液晶パネル１０５を透過することにより、画面に画像が表示される。
【００２８】
なお、バックライトユニット１００は、液晶パネルの背面に対して光源部が設けられた直下型バックライトユニットであってもよい。その場合には、液晶パネルと光源部の間に変換部材が設けられる。
【００２９】
図１（Ｂ）は、バックライトユニット１００の断面図であり、図１（Ａ）の線分Ａ−Ａ’における断面図である。Ｒ量子ドット部材１０３とＧ量子ドット部材１０４のそれぞれは、ＢＬＥＤ１０２の発光方向に略垂直なスライド方向（図１（Ｂ）の両側矢印の方向）に沿って移動させられる。「略垂直」は「完全な垂直」を含む。そして、Ｒ量子ドット部材１０３とＧ量子ドット部材１０４のそれぞれは、ＢＬＥＤ１０２の発光方向に略平行な方向の厚さがスライド方向に沿って徐々に増加するくさび形状を有する。「略平行」は「完全な平行」を含む。そのため、Ｒ量子ドット部材１０３をスライド方向に移動させることにより、Ｒ量子ドット部材１０３における、Ｒ量子ドット部材１０３に入射した青色光が通るＲ通過領域のサイズを変えることができる。具体的には、重畳部分におけるＲ量子ドット部材１０３の厚さが増すようにＲ量子ドット部材１０３を移動させることにより、Ｒ通過領域のサイズを増加させることができる。そして、重畳部分におけるＲ量子ドット部材１０３の厚さが低減するようにＲ量子ドット部材１０３を移動させることにより、Ｒ通過領域のサイズを低減することができる。重畳部分は、ＢＬＥＤ１０２の発光方向に略垂直な面においてＢＬＥＤ１０２または導光板１０１に重なる部分である。同様に、Ｇ量子ドット部材１０４をスライド方向に移動させることにより、Ｇ量子ドット部材１０４における、Ｇ量子ドット部材１０４に入射した青色光が通るＧ通過領域のサイズを変えるこ
とができる。
【００３０】
Ｒ量子ドット部材１０３の内部において、Ｒ量子ドットのサイズ（粒径）、Ｒ量子ドットの材料、Ｒ量子ドットの密度、等は略均一である。「略均一」は「完全な均一」を含む。蛍光（蛍光の主波長など）は、量子ドットのサイズ、量子ドットの材料、等に依存する。また、単位領域あたりの蛍光の輝度（強度；光量）は、量子ドットの密度（数）に依存する。そのため、「Ｒ量子ドットのサイズ、Ｒ量子ドットの材料、Ｒ量子ドットの密度、等は略均一である」ことは、「青色光を赤色光に変換するＲ変換特性が略均一である」ことを意味する。
【００３１】
Ｒ変換特性が略均一であるため、Ｒ通過領域のサイズを変えることにより、Ｒ量子ドット部材１０３から出射される光を変えることができる。具体的には、Ｒ量子ドット部材１０３に入射する青色光が一定である場合において、Ｒ通過領域のサイズを低減することにより、青色光が照射されるＲ量子ドットの数が減る。その結果、Ｒ量子ドット部材１０３によって生成されてＲ量子ドット部材１０３から出射される赤色光の輝度が低下する。さらに、青色光が照射されるＲ量子ドットの数が減った分だけ、Ｒ量子ドットによって赤色光に変換されずにＲ量子ドット部材１０３から出射される青色光の輝度が増す。また、Ｒ量子ドット部材１０３に入射する青色光が一定である場合において、Ｒ通過領域のサイズを増加させることにより、青色光が照射されるＲ量子ドットの数が増える。その結果、Ｒ量子ドット部材１０３によって生成されてＲ量子ドット部材１０３から出射される赤色光の輝度が増す。さらに、青色光が照射されるＲ量子ドットの数が増えた分だけ、Ｒ量子ドットによって赤色光に変換されずにＲ量子ドット部材１０３から出射される青色光の輝度が低下する。
【００３２】
同様に、Ｇ量子ドット部材１０４の内部において、青色光を緑色光に変換するＧ変換特性は略均一である。そのため、Ｇ通過領域のサイズを変えることにより、Ｇ量子ドット部材１０４から出射される光を変えることができる。
【００３３】
なお、スライド方向は、光源部の発光方向に略垂直な方向に限られない。スライド方向は、光源部の発光方向に非平行な方向であればよい。変換部材の形状は、くさび形状に限られない。変換部材において、光源部の発光方向に略平行な方向の厚さが不均一であれば、変換部材の形状は特に限定されない。
【００３４】
バックライトユニット１００は遮蔽部材１０６をさらに有する。遮蔽部材１０６は、ＢＬＥＤ１０２の発光方向に略垂直な面においてＢＬＥＤ１０２を囲む遮蔽面を有する。ＢＬＥＤ１０２から発せられた光は、ＢＬＥＤ１０２から遠ざかるにつれて広がるが、遮蔽面で遮られるため遮蔽面の外側までは広がらない。そのため、遮蔽部材１０６を設けることにより、上記重畳部分に対応する領域（Ｒ量子ドット部材１０３の一部）をＲ通過領域として設定することができる。さらに、上記重畳部分に対応する領域（Ｇ量子ドット部材１０４の一部）をＧ通過領域として設定することができる。遮蔽部材１０６の遮蔽面は、照射された光を反射する反射面である。そのため、ＢＬＥＤ１０２から発せられた青色光を効率的にＲ量子ドット部材１０３、Ｇ量子ドット部材１０４、導光板１０１、等に導くことができる。遮蔽部材１０６の構成は特に限定されないが、図１（Ｂ）では、凹部を有する部材が遮蔽部材１０６として示されている。そして、ＢＬＥＤ１０２が、遮蔽部材１０６の凹部の底面に設けられており、凹部の側面が上記遮蔽面として機能する。なお、遮蔽部材１０６の遮蔽面は、照射された光を照射された光を吸収してもよい。遮蔽部材１０６は使用されなくてもよい。
【００３５】
図２（Ａ），２（Ｂ）を用いて、バックライトユニット１００の発光色の調整方法の具体例を説明する。ここでは、調整前のバックライトユニット１００の状態が図１（Ｂ）の
状態であるとする。図２（Ａ）は、調整後のバックライトユニット１００の状態の一例を示す断面図である。図２（Ｂ）は、バックライトユニット１００から発せられた光のスペクトル（輝度分布）の一例を示すグラフである。図２（Ｂ）の横軸は波長を示し、図２（Ｂ）の縦軸は輝度を示す。図２（Ｂ）において、符号２０１は、調整前の青色光のスペクトルを示し、符号２０２は、調整後の青色光のスペクトルを示す。符号２０３は、調整前の緑色光のスペクトルを示し、符号２０４は、調整後の緑色光のスペクトルを示す。そして、符号２０５は、調整前の赤色光のスペクトルを示し、符号２０６は、調整後の赤色光のスペクトルを示す。図２（Ｂ）に示すように、青色光の主波長は緑色光の主波長よりも短く、緑色光の主波長は赤色光の主波長よりも短い。
【００３６】
本実施例では、簡単のために、赤色光の主波長の輝度、緑色光の主波長の輝度、及び、青色光の主波長の輝度が等しい状態を、所望の状態とする。図２（Ｂ）の例では、調整前の状態において、青色光の主波長の輝度が、赤色光の主波長の輝度および緑色光の主波長の輝度よりも高い。そのため、調整前の状態では、バックライトユニット１００から発せられる光として、所望の色バランス（赤色光、緑色光、及び、青色光のバランス）を有する光が得られない。具体的には、バックライトユニット１００の発光色として、所望の色（例えば白色）に比べ青色に近い色が得られてしまう。
【００３７】
このような場合には、図２（Ａ）に示すように、重畳部分におけるＲ量子ドット部材１０３の厚さが増すようにＲ量子ドット部材１０３を移動させることにより、Ｒ通過領域のサイズを増加させる。それにより、バックライトユニット１００からの光に含まれる赤色光の輝度が高められ、バックライトユニット１００からの光に含まれる青色光の輝度が低減される。さらに、図２（Ａ）に示すように、重畳部分におけるＧ量子ドット部材１０４の厚さが増すようにＧ量子ドット部材１０４を移動させることにより、Ｇ通過領域のサイズを増加させる。それにより、バックライトユニット１００からの光に含まれる緑色光の輝度が高められ、バックライトユニット１００からの光に含まれる青色光の輝度が低減される。
【００３８】
その結果、図２（Ｂ）に示すように、青色光のスペクトル２０１がスペクトル２０２に調整され、赤色光のスペクトル２０３がスペクトル２０４に調整され、緑色光のスペクトル２０５がスペクトル２０６に調整される。スペクトル２０２の最大輝度（主波長）、スペクトル２０４の最大輝度、及び、スペクトル２０６の最大輝度は等しい。このように、Ｒ量子ドット部材１０３とＧ量子ドット部材１０４を移動させることにより、赤色光の主波長の輝度、緑色光の主波長の輝度、及び、青色光の主波長の輝度が等しい状態にバックライトユニット１００からの光の状態を調整することができる。即ち、バックライトユニット１００の発光色を所望の色に調整することができる。
【００３９】
図３（Ａ），３（Ｂ）を用いて、バックライトユニット１００の発光色の調整方法の他の具体例を説明する。ここでも、調整前のバックライトユニット１００の状態が図１（Ｂ）の状態であるとする。図３（Ａ）は、調整後のバックライトユニット１００の状態の一例を示す断面図である。図３（Ｂ）は、バックライトユニット１００から発せられた光のスペクトルの一例を示すグラフである。図３（Ｂ）において、符号３０１は、調整前の青色光のスペクトルを示し、符号３０２は、調整後の青色光のスペクトルを示す。符号３０３は、調整前の緑色光のスペクトルを示し、符号３０４は、調整後の緑色光のスペクトルを示す。そして、符号３０５は、調整前の赤色光のスペクトルを示し、符号３０６は、調整後の赤色光のスペクトルを示す。
【００４０】
図３（Ｂ）の例では、調整前の状態において、青色光の主波長の輝度が、赤色光の主波長の輝度および緑色光の主波長の輝度よりも低い。そのため、調整前の状態では、バックライトユニット１００から発せられる光として、所望の色バランスを有する光が得られな
い。
【００４１】
このような場合には、図３（Ａ）に示すように、重畳部分におけるＲ量子ドット部材１０３の厚さが低減するようにＲ量子ドット部材１０３を移動させることにより、Ｒ通過領域のサイズを低減する。それにより、バックライトユニット１００からの光に含まれる赤色光の輝度が低減され、バックライトユニット１００からの光に含まれる青色光の輝度が高められる。さらに、図３（Ａ）に示すように、重畳部分におけるＧ量子ドット部材１０４の厚さが低減するようにＧ量子ドット部材１０４を移動させることにより、Ｇ通過領域のサイズを低減する。それにより、バックライトユニット１００からの光に含まれる緑色光の輝度が低減され、バックライトユニット１００からの光に含まれる青色光の輝度が高められる。
【００４２】
その結果、図３（Ｂ）に示すように、青色光のスペクトル３０１がスペクトル３０２に調整され、赤色光のスペクトル３０３がスペクトル３０４に調整され、緑色光のスペクトル３０５がスペクトル３０６に調整される。スペクトル３０２の最大輝度、スペクトル３０４の最大輝度、及び、スペクトル３０６の最大輝度は等しい。このように、バックライトユニット１００の様々な発光色から所望の色へバックライトユニット１００の発光色を調整することができる。
【００４３】
なお、赤色光の輝度と緑色光の輝度との両方を高める例と、赤色光の輝度と緑色光の輝度との両方を低減する例とを説明したが、調整方法はこれに限られない。上述したように、本実施例では、Ｒ量子ドット部材１０３とＧ量子ドット部材１０４のそれぞれが個別に駆動される。そのため、赤色光の輝度と緑色光の輝度との一方が高められ、赤色光の輝度と緑色光の輝度との他方が低減されるように、Ｒ量子ドット部材１０３とＧ量子ドット部材１０４が駆動されることもある。赤色光の輝度の調整量（調整前の輝度と調整後の輝度との差）と緑色光の輝度の調整量とが同じ場合、それらの調整量が互いに異なる場合、等もある。また、所望の状態は、赤色光の主波長の輝度、緑色光の主波長の輝度、及び、青色光の主波長の輝度が等しい状態に限られない。所望の状態として、様々な状態を使用することができる。
【００４４】
図４は、本実施例に係る液晶表示装置の構成例を示すブロック図である。本実施例に係る液晶表示装置は、制御システム部４０１、バックライトユニット４０２、及び、液晶表示部４０３を有する。なお、制御システム部４０１が有する複数の機能部の少なくとも一部が、バックライトユニット４０２の一部として扱われてもよい。バックライトユニット４０２が有する複数の機能部の一部が、バックライトユニット４０２とは別体の機能部として扱われてもよい。
【００４５】
制御システム部４０１は、液晶表示装置の各種処理、液晶表示装置の各種制御、等を行う。例えば、制御システム部４０１は、画像処理、バックライトユニット４０２の状態の制御、液晶表示部４０３の状態の制御、等を行う。バックライトユニット４０２は、図１（Ａ）のバックライトユニット１００である。液晶表示部４０３は、液晶ドライバ４０４と液晶パネル４０５を有する。液晶パネル４０５は、図１（Ａ）の液晶パネル１０５である。液晶ドライバ４０４は、制御システム部４０１からの画像データに応じて、液晶パネル４０５を駆動するためのパネル駆動信号を生成する。そして、液晶ドライバ４０４は、生成したパネル駆動信号を液晶パネル４０５へ出力する。それにより、液晶パネル４０５の各液晶素子が、パネル駆動信号に応じて駆動される。その結果、液晶パネル４０５の各液晶素子の透過率が、パネル駆動信号に応じた透過率に制御される。
【００４６】
バックライトユニット４０２は、ＬＥＤドライバ４１５、ＬＥＤ４１６、量子ドット駆動部４１７、量子ドット部材４１８、光センサ４１９、及び、導光部４２０を有する。
【００４７】
ＬＥＤドライバ４１５は、制御システム部４０１からの輝度設定信号に応じて、ＬＥＤ４１８を駆動するためのＬＥＤ駆動信号を生成する。ＬＥＤ駆動信号は、例えば、パルス信号である。パルス信号のパルス幅、パルス信号のパルス振幅、パルス信号のデューティ比（点灯時間と消灯時間の比）、等を制御することで、ＬＥＤ４１８の発光輝度が制御される。
【００４８】
ＬＥＤ４１６は、図１（Ａ）のＢＬＥＤ１０５である。ＬＥＤ４１６は、ＬＥＤ駆動信号に応じた輝度の光を発する。なお、図４には１つのＬＥＤ４１６が示されているが、本実施例では、バックライトユニット４０２は、複数のＬＥＤ４１６を有する。なお、複数のＬＥＤ４１８（複数のＢＬＥＤ１０５）の間で、ＬＥＤ駆動信号が等しくてもよいし、ＬＥＤ駆動信号が異なっていてもよい。
【００４９】
量子ドット駆動部４１７は、制御システム部４０１からの量子ドット駆動信号に応じて、量子ドット部材４１８を駆動する。また、量子ドット駆動部４１７は、量子ドット部材４１８の状態（位置）に関する状態情報を生成し、状態情報を制御システム部４０１へ出力する。量子ドット駆動部４１７の構成は特に限定されないが、本実施例では、量子ドット駆動部４１７は、制御システム部４０１からの量子ドット駆動信号に応じて回転するモーターである。モーターの回転により、量子ドット部材４１８が移動させられる。また、状態情報は特に限定されないが、本実施例では、状態情報は、量子ドット駆動部４１７の状態を示す情報である。例えば、状態情報は、量子ドット駆動部４１７の所定の状態から量子ドット駆動部４１７の現在の状態までの量子ドット駆動部４１７の回転量を示す情報である。
【００５０】
なお、図４には１つの量子ドット駆動部４１７が示されているが、本実施例では、バックライトユニット４０２は、２つの量子ドット駆動部４１７を有する。２つの量子ドット駆動部４１７の一方は、図１（Ａ）のＲ量子ドット部材１０３を移動させ、２つの量子ドット駆動部４１７の他方は、図１（Ａ）のＧ量子ドット部材１０４を移動させる。
【００５１】
量子ドット部材４１８は、ＬＥＤ４１８から発せられた光の一部を変換して出射し、且つ、ＬＥＤ４１８から発せられた光の一部を変換せずに出射する変換部材である。なお、図４には１つの量子ドット部材４１８が示されているが、本実施例では、バックライトユニット４０２は、２つの量子ドット部材４１８を有する。２つの量子ドット部材４１８の一方は、図１（Ａ）のＲ量子ドット部材１０３であり、２つの量子ドット部材４１８の他方は、図１（Ａ）のＧ量子ドット部材１０３である。
【００５２】
導光部４２０は、図１（Ａ）の導光板１０１である。導光部４２０は、導光部４２０に入射した光を、導光部４２０の内部で拡散する。そして、導光部４２０は、拡散後の光を出射する。
【００５３】
光センサ４１９は、バックライトユニット４０２から発せられた光を検出し、バックライトユニット４０２から発せられた光に応じた検出値（センサ値）を制御システム部４０１へ出力する。光センサ４１９の構成、光センサ４１９の配置、センサ値、等は特に限定されない。
【００５４】
図５を用いて、光センサ４１９の具体例を示す。図５は、バックライトユニット１００（バックライトユニット４０２）の断面図である。本実施例では、図５に示すように、Ｒ光センサ５０１、Ｇ光センサ５０２、及び、Ｂ光センサ５０３の組み合わせが、光センサ４１９として使用される。Ｒ光センサ５０１は、導光板１０１からの光に含まれる赤色光の輝度を検出し、赤色光の輝度に応じたセンサ値（Ｒセンサ値）を出力する輝度センサで
ある。Ｇ光センサ５０２は、導光板１０１からの光に含まれる緑色光の輝度を検出し、緑色光の輝度に応じたセンサ値（Ｇセンサ値）を出力する輝度センサである。そして、Ｂ光センサ５０３は、導光板１０１からの光に含まれる青色光の輝度を検出し、青色光の輝度に応じたセンサ値（Ｂセンサ値）を出力する輝度センサである。例えば、Ｒ光センサ５０１は、赤色光が透過し且つ他の色の光が透過しないカラーフィルタを有する。Ｇ光センサ５０２は、緑色光が透過し且つ他の色の光が透過しないカラーフィルタを有する。そして、Ｂ光センサ５０３は、青色光が透過し且つ他の色の光が透過しないカラーフィルタを有する。ＢＬＥＤ１０２と光センサ４１９の間に導光板１０１が設けられるように、Ｒ光センサ５０１、Ｇ光センサ５０２、及び、Ｂ光センサ５０３が設けられている。
【００５５】
制御システム部４０１は、表示制御部４０６、キャリブレーション制御部４０７、ＬＥＤ輝度制御部４０８、量子ドット状態制御部４０９、センサ値入力部４１０、画像データバス４１１、ＲＡＭ４１２、ＣＰＵ４１３、及び、システムバス４１４を有する。
【００５６】
表示制御部４０６は、画像データバス４１１を介して画像データを取得し、取得した画像データを液晶ドライバ４０４へ出力する。また、表示制御部４０６は、必要に応じて画像処理を行う。画像処理が行われた場合には、画像処理後の画像データが液晶ドライバ４０４へ出力される。なお、表示制御部４０６によって取得された画像データは、外部から液晶表示装置に入力された画像データであってもよいし、そうでなくてもよい。例えば、画像データを記憶する記憶部を液晶表示装置が有しており、表示制御部４０６が記憶部から画像データを読み出してもよい。画像データを生成する生成部を液晶表示装置が有しており、生成部によって生成された画像データを表示制御部４０６が取得してもよい。
【００５７】
キャリブレーション制御部４０７は、バックライトユニット４０２の発光状態を所望の状態に近づけるキャリブレーション処理の少なくとも一部を行う。キャリブレーション処理により、バックライトユニット４０２の発光輝度が所望の輝度に近づけられたり、バックライトユニット４０２の発光色が所望の色に近づけられたりする。具体的には、光センサ４１９のセンサ値が所定の目標値に近づくように、量子ドット部材４１８の駆動と、ＬＥＤ４１６の発光輝度の制御とが行われる。
【００５８】
本実施例では、キャリブレーション処理において、キャリブレーション制御部４０７は、ＬＥＤ４１６の発光輝度に関する輝度設定値を、ＬＥＤ輝度制御部４０８へ出力する。そして、キャリブレーション制御部４０７は、量子ドット部材４１８の状態（位置）に関する状態設定値を、量子ドット状態制御部４０９へ出力する。その結果、輝度設定値と状態設定値の組み合わせに対応する状態に、バックライトユニット４０２の発光状態が制御される。そして、キャリブレーション制御部４０７は、光センサ４１９のセンサ値（輝度設定値と状態設定値の組み合わせに対応するセンサ値）を、センサ値入力部４１０から取得する。キャリブレーション処理では、輝度設定値と状態設定値の複数の組み合わせのそれぞれについて、上記処理が行われる。それにより、輝度設定値と状態設定値の複数の組み合わせにそれぞれ対応する複数のセンサ値が取得される。そして、複数のセンサに基づいて、量子ドット部材４１８の駆動と、ＬＥＤ４１６の発光輝度の制御とが行われる。具体的には、複数のセンサ値に基づいて、バックライトユニット４０２の発光状態として所望の状態と略同一な状態を実現する輝度設定値と状態設定値が決定される。「略同一」は「完全な同一」を含む。そして、決定された輝度設定値と決定された状態設定値とを用いて、バックライトユニット４０２の発光状態が制御される。
【００５９】
キャリブレーション制御部４０７の処理は、ＣＰＵ４１３からの制御信号（制御コマンド）によって制御される。キャリブレーション制御部４０７が、ＣＰＵ４１３の処理を制御するために、ＣＰＵ４１３に制御信号を出力することもある。キャリブレーション制御部４０７とＣＰＵ４１３の間で、キャリブレーションデータ（キャリブレーション処理の
ためのデータ）が伝送されることもある。キャリブレーションデータは、例えば、輝度設定値、状態設定値、センサ値、等である。キャリブレーション制御部４０７とＣＰＵ４１３の間における各種信号、各種データ、等の伝送は、システムバス４１４を介して行われる。
【００６０】
ＬＥＤ輝度制御部４０８は、キャリブレーション制御部４０７からの輝度設定値に応じて輝度設定信号を生成し、生成した輝度設定信号をＬＥＤドライバ４１５へ出力する。
【００６１】
量子ドット状態制御部４０９は、キャリブレーション制御部４０７からの状態設定値と、量子ドット駆動部４１７からの状態情報とに基づいて、状態設定値に対応する状態へ量子ドット部材４１８の状態を制御するための量子ドット駆動信号を生成する。そして、量子ドット状態制御部４０９は、生成した量子ドット駆動信号を量子ドット駆動部４１７へ出力する。本実施例では、量子ドット状態制御部４０９は、状態設定値と状態情報に基づいて、状態設定値に対応する位置へ量子ドット部材４１８を移動させるのに必要な移動量を算出する。移動量として、量子ドット部材４１８の移動量、または、量子ドット駆動部４１７（モーター）の回転量が算出される。そして、量子ドット状態制御部４０９は、算出した移動量に応じて、量子ドット駆動信号を生成する。
【００６２】
センサ値入力部４１０は、光センサ４１９のセンサ値を光センサ４１９から取得し、取得したセンサ値をキャリブレーション制御部４０７へ出力する。取得したセンサ値がアナログ信号である場合には、センサ値入力部４１０は、取得したアナログ信号をデジタル信号に変換し、当該デジタル信号をキャリブレーション制御部４０７へ出力する。
【００６３】
画像データバス４１１は、画像データの伝送に使用されるバスである。本実施例では、画像データバス４１１は、表示制御部４０６へ入力される画像データの伝送、表示制御部４０６から出力された画像データの伝送、等に使用される。
【００６４】
ＲＡＭ４１２は、各種データが格納（記録）された記録媒体である。本実施例では、各種プログラム、各種制御データ、等が、ＲＡＭ４１２に記録されている。
【００６５】
ＣＰＵ４１３は、ＲＡＭ４１２からデータを読み出し、読み出したデータに基づいて各種処理、各種制御、等を行う。例えば、ＣＰＵ４１３は、他の機能部で行われる処理に必要なデータを当該他の機能部へ出力したり、他の機能部の処理を制御するための制御信号を当該他の機能部へ出力したりする。ＲＡＭ４１２から読み出されたデータは、例えば、ソフトウェアに関するデータである。そのため、以後、ＲＡＭ４１２から読み出したデータに基づいてＣＰＵ４１３が行う処理を「ソフトウェア処理」と記載する。
【００６６】
システムバス４１４は、各種信号、各種データ、等の伝送に使用されるバスである。システムバス４１４により、制御システム部４０１の複数の機能部は互いに接続される。制御システム部４０１の複数の機能部の間における各種信号、各種データ、等の伝送は、システムバス４１４を介して行われる。
【００６７】
図６（Ａ），６（Ｂ）を用いて、量子ドット部材４１８の駆動方法の具体例を説明する。図６（Ａ）は、バックライトユニット１００（バックライトユニット４０２）の正面図であり、図６（Ｂ）は、バックライトユニット１００の断面図である。図６（Ａ），６（Ｂ）には、量子ドット部材４１８の駆動するための駆動機構が示されている。具体的には、Ｒモーター６０１、Ｒ伝達ベルト６０２、Ｒボールねじ６０３、Ｒガイドレール６０４、Ｇモーター６０５、Ｇ伝達ベルト６０６、Ｇボールねじ６０７、及び、Ｇガイドレール６０８が示されている。Ｒモーター６０１が、Ｒ量子ドット部材１０３を駆動する量子ドット駆動部４１７であり、Ｇモーター６０５が、Ｇ量子ドット部材１０４を駆動する量子
ドット駆動部４１７である。
【００６８】
Ｒモーター６０１は、量子ドット駆動信号に応じて回転する。Ｒボールねじ６０３は、ねじ軸にナットがはめ込まれた構成を有する。また、Ｒボールねじ６０３では、ねじ軸とナットの間の摩擦を低減するために、ねじ軸とナットの間にボールが設けられている。Ｒモーター６０１が回転すると、Ｒ伝達ベルト６０２により、Ｒモーター６０１の回転（回転動力）がＲボールねじ６０４に伝えられる。具体的には、Ｒ伝達ベルト６０２は、Ｒモーター６０１のシャフト（出力軸）と、Ｒボールねじ６０３のねじ軸とに掛かっている。そのため、Ｒモーター６０１の回転によりＲ伝達ベルト６０２が回転し、Ｒ伝達ベルト６０２の回転によりＲボールねじ６０４のねじ軸が回転する。Ｒボールねじ６０３（ねじ軸）の軸方向に垂直な方向において、Ｒ量子ドット部材１０３の２つの端部のそれぞれがＲガイドレール６０４によって支持されている。具体的には、上記２つの両端のそれぞれにおいて、Ｒガイドレール６０４は、Ｒボールねじ６０３の軸方向に平行な方向で、Ｒ量子ドット部材１０３に挿入されている。それにより、Ｒボールねじ６０３が有するねじ軸の回転方向におけるＲ量子ドット部材１０３の回転が、Ｒガイドレール６０４によって抑制される。そして、Ｒ量子ドット部材１０３は、Ｒボールねじ６０３のナットに固定されている。そのため、Ｒボールねじ６０３のねじ軸が回転することにより、Ｒボールねじ６０３の軸方向に、Ｒボールねじ６０３のナットが移動（往復）する。そして、Ｒボールねじ６０３のナットの移動により、Ｒボールねじ６０３の軸方向に、Ｒ量子ドット部材１０３も移動する。
【００６９】
同様に、Ｇ伝達ベルト６０６、Ｇボールねじ６０７、及び、Ｇガイドレール６０８を用いて、Ｇモーター６０５の回転運動が、Ｇ量子ドット部材１０４の往復運動に変換される。
【００７０】
このように、図６（Ａ），６（Ｂ）の駆動機構により、モーターの回転運動を量子ドット部材の往復運動に変換することができる。モーターの回転方向、モーターの回転量、等を制御することで、量子ドット部材の移動方向、量子ドット部材の移動量、等を制御することができ、所望の位置への量子ドット部材の移動を実現することができる。
【００７１】
本実施例に係る液晶表示装置の処理フローの一例を、図７を用いて説明する。図７は、本実施例に係る液晶表示装置の全体的な処理フローの一例を示すフローチャートである。図７の処理フローは、例えば、液晶表示装置に対してユーザが行った操作に応じて開始される。上記操作は、例えば、液晶表示装置の電源をオンするための操作である。
【００７２】
まず、Ｓ７０１にて、ＣＰＵ４１３のソフトウェア処理により、キャリブレーション処理が必要か否かを判断する。例えば、ＣＰＵ４１３は、前回のキャリブレーションが行われたタイミングからの時間であり、且つ、画像の表示が行われた時間を累積した時間である累積表示時間を計測する。そして、ＣＰＵ４１３は、累積表示時間が所定時間を超えた場合に、キャリブレーション処理が必要であると判断する。また、ＣＰＵ４１３は、光センサ４１９のセンサ値を、光センサ４１９からセンサ値入力部４１０（または、センサ値入力部４１０とキャリブレーション制御部４０７）を介して取得する。そして、光センサ４１９は、取得したセンサ値が所定範囲外の値となった場合にも、キャリブレーション処理が必要であると判断する。「取得したセンサ値が所定範囲外の値となった場合」は、例えば、「Ｒセンサ値、Ｇセンサ値、及び、Ｂセンサ値の少なくともいずれかが所定範囲外の値となった場合」である。「取得したセンサ値が所定範囲外の値となった場合」は、「Ｒセンサ値、Ｇセンサ値、及び、Ｂセンサ値の組み合わせが所定範囲外の組み合わせとなった場合」であってもよい。また、ＣＰＵ４１３は、キャリブレーション処理の実行を指示するための操作がユーザによって行われた場合にも、キャリブレーション処理が必要であると判断する。そして、それら以外の場合には、ＣＰＵ４１３は、キャリブレーション
処理が不要であると判断する。キャリブレーション処理が必要であると判断された場合には、Ｓ７０２へ処理が進められ、キャリブレーション処理が不要であると判断された場合には、Ｓ７０８へ処理が進められる。
【００７３】
なお、キャリブレーション処理が必要か否かの判断方法は、上記方法に限られない。例えば、上記３つの判断基準（累積表示時間、センサ値、及び、操作）のうちの少なくともいずれかが用いられなくてもよい。
【００７４】
Ｓ７０２にて、キャリブレーション処理が行われる。Ｓ７０２の処理の詳細は後述する。キャリブレーション処理が完了すると、Ｓ７０３へ処理が進められる。キャリブレーション処理の実行中に、ＣＰＵ４１３が、ユーザに対する第１の通知のための処理を行う。例えば、ＣＰＵ４１３が表示制御部４０６へ制御信号を出力し、表示制御部４０６が、当該制御信号に応じて、第１のグラフィック画像（アイコン、テキスト、等）を表す画像データを液晶ドライバ４０４へ出力する。それにより、第１のグラフィック画像が表示される。第１のグラフィック画像は、例えば、キャリブレーション処理の実行中であることを示すグラフィック画像である。なお、ユーザへの通知は、画面とは異なる発光部（ランプ）の点灯、スピーカーからの音の出力、等であってもよい。
【００７５】
Ｓ７０３にて、キャリブレーション制御部４０７が、Ｓ７０２のキャリブレーション処理の結果を、バックライトユニット４０２に対して設定する。具体的には、バックライトユニット４０２の発光状態を所望の状態と略同一な状態に制御するための輝度設定値と状態設定値が、キャリブレーション処理の結果として得られる。そして、キャリブレーション制御部４０７は、キャリブレーション処理の結果の一部である輝度設定値をＬＥＤ輝度制御部４０８へ出力し、キャリブレーション処理の結果の一部である状態設定値を量子ドット状態制御部４０９へ出力する。その後、キャリブレーション処理の結果である輝度設定値と状態設定値に基づいて、ＬＥＤ輝度制御部４０８、量子ドット状態制御部４０９、ＬＥＤドライバ４１５、及び、量子ドット駆動部４１７による上述した処理が行われる。その結果、バックライトユニット４０２の発光状態を所望の状態と略同一な状態に制御される。キャリブレーション処理の結果の設定が完了すると、Ｓ７０４へ処理が進められる。
【００７６】
Ｓ７０４にて、ＣＰＵ４１３（または、キャリブレーション制御部４０７）が、所望の表示を実現するための画像処理（補正処理）が必要か否かを判断する。例えば、光センサ４１９のセンサ値と目標値との差が大きい場合には、バックライトユニット４０２の発光状態が所望の状態に十分に近づけられておらず、所望の表示が実現されない。このような場合には、所望の表示を実現するために、画像データを補正する必要がある。そのため、ＣＰＵ４１３は、光センサ４１９のセンサ値と目標値との差が所定の閾値Ｔｈ１以上である場合に、補正処理が必要であると判断し、光センサ４１９のセンサ値と目標値との差が閾値Ｔｈ１未満である場合に、補正処理が不要であると判断する。補正処理が必要であると判断された場合には、Ｓ７０５へ処理が進められ、補正処理が不要であると判断された場合には、Ｓ７０６へ処理が進められる。
【００７７】
Ｓ７０５にて、ＣＰＵ４１３（または、表示制御部４０６）が、補正処理で使用される補正情報を生成する。具体的には、ＣＰＵ４１３は、Ｓ７０４にて得られた差（光センサ４１９のセンサ値と目標値との差）に基づいて、画像データの階調値を補正する補正パラメータを決定する。画像データの複数の階調値にそれぞれ対応する複数の補正パラメータが決定される。補正パラメータは、例えば、階調値に加算するオフセット値、階調値に乗算するゲイン値、等である。そして、ＣＰＵ４１３は、複数の補正パラメータに基づいて、補正処理前の階調値と補正処理後の階調値との複数の組み合わせが列挙された補正テーブルを、補正情報として生成する。画像データの各階調値を補正テーブルに応じて変換す
ることにより、所望の表示を実現できる画像データを得ることができる。補正情報の生成が完了すると、Ｓ７０６へ処理が進められる。
【００７８】
本実施例では、バックライトユニット４０２の発光状態の制御によって、液晶表示装置の表示が所望の表示に近づけられる。そして、バックライトユニット４０２の発光状態の制御後に実現される表示と所望の表示との差のみが、補正処理によって低減される。そのため、バックライトユニット４０２の発光状態が制御されない場合に比べ少ない補正量に、補正処理の補正量を低減することができる。
【００７９】
なお、画面の色（表示色）を検出する測色センサのセンサ値を用いて、補正パラメータが決定されてもよい。例えば、所望の表示に対応するセンサ値と、測色センサのセンサ値との差に基づいて、補正パラメータが決定されてもよい。また、補正情報は、上記補正テーブルに限られない。補正情報を用いた補正処理によって所望の表示が実現されれば、補正情報はどのような情報であってもよい。例えば、補正情報は、補正処理前の階調値と補正処理後の階調値との対応関係を示す関数であってもよい。補正情報は、補正処理前の階調値と補正パラメータとの対応関係を示す情報（テーブル、関数、等）であってもよい。
【００８０】
Ｓ７０６にて、ＣＰＵ４１３のソフトウェア処理により、キャリブレーション処理が正常に行われたか否かを判断する。例えば、ＣＰＵ４１３は、Ｓ７０５の処理後に光センサ４１９によって得られたセンサ値と、目標値との差が所定の閾値Ｔｈ２以上である場合に、キャリブレーション処理が正常に行われなかったと判断する。また、ＣＰＵ４１３は、Ｓ７０６までの処理の途中で異常が発生した場合にも、キャリブレーション処理が正常に行われなかったと判断する。そして、それら以外の場合には、ＣＰＵ４１３は、キャリブレーション処理が正常に行われたと判断する。キャリブレーション処理が正常に行われなかったと判断された場合には、Ｓ７０７へ処理が進められ、キャリブレーション処理が正常に行われたと判断された場合には、Ｓ７０８へ処理が進められる。
【００８１】
なお、キャリブレーション処理が正常に行われたか否かの判断方法は、上記方法に限られない。例えば、上記２つの判断基準（センサ値と目標値の差、及び、処理の途中での異常）のうちの少なくともいずれかが用いられなくてもよい。
【００８２】
Ｓ７０７にて、ＣＰＵ４１３のソフトウェア処理により、ユーザに対する第２の通知のための処理を行う。例えば、ＣＰＵ４１３が表示制御部４０６へ制御信号を出力し、表示制御部４０６が、当該制御信号に応じて、第２のグラフィック画像（アイコン、テキスト、等）を表す画像データを液晶ドライバ４０４へ出力する。それにより、第２のグラフィック画像が表示される。第２のグラフィック画像は、例えば、キャリブレーション処理が正常に行われなかったことを示すグラフィック画像である。なお、ユーザへの通知は、画面とは異なる発光部（ランプ）の点灯、スピーカーからの音の出力、等であってもよい。第２の通知が行われると、Ｓ７０８へ処理が進められる。
【００８３】
Ｓ７０８にて、表示制御部４０６が、画像データバス４１１を介して画像データを取得し、取得した画像データを液晶ドライバ４０４へ出力する。表示制御部４０６は、必要に応じて、Ｓ７０５にて生成された補正テーブルを用いた補正処理を、取得した画像データに対して施す。補正処理が行われた場合には、補正処理後の画像データが液晶ドライバ４０４へ出力される。液晶ドライバ４０４は、制御システム部４０１からの画像データに応じて、液晶パネル４０５を駆動する。そして、バックライトユニット４０２から発せられた光が液晶パネル４０５を透過することにより、制御システム部４０１からの画像データに基づく画像が表示される。画像の表示が行われると、Ｓ７０９へ処理が進められる。
【００８４】
Ｓ７０９にて、ＣＰＵ４１３のソフトウェア処理により、画像の表示を継続するか否か
が判断される。例えば、ＣＰＵ４１３は、液晶表示装置の電源をオンするための操作がユーザによって行われた場合に、画像の表示を継続しないと判断する。また、ＣＰＵ４１３は、表示制御部４０６への画像データが入力されなくなった場合にも、画像の表示を継続しないと判断する。そして、それら以外の場合には、ＣＰＵ４１３は、画像の表示を継続すると判断する。画像の表示を継続すると判断された場合には、Ｓ７０８へ処理が戻され、画像の表示を継続しないと判断された場合には、本処理フローが終了される。なお、画像の表示を継続するか否かの判断方法は、上記方法に限られない。例えば、上記２つの判断基準（操作、及び、画像データの入力）のうちの少なくともいずれかが用いられなくてもよい。
【００８５】
本実施例に係るキャリブレーション処理（Ｓ７０２）の処理フローの一例を、図８を用いて説明する。図８は、本実施例に係るキャリブレーション処理の処理フローの一例を示すフローチャートである。
【００８６】
まず、Ｓ８０１にて、キャリブレーション制御部４０７、ＬＥＤ輝度制御部４０８、及び、ＬＥＤドライバ４１５により、ＢＬＥＤ１０２の発光輝度が制御される。次に、Ｓ８０２にて、キャリブレーション制御部４０７、量子ドット状態制御部４０９、及び、量子ドット駆動部４１７により、Ｇ量子ドット部材１０４の位置が制御される。そして、Ｓ８０３にて、キャリブレーション制御部４０７、量子ドット状態制御部４０９、及び、量子ドット駆動部４１７により、Ｒ量子ドット部材１０３の位置が制御される。ＢＬＥＤ１０２の発光輝度の制御方法、Ｇ量子ドット部材１０４の位置の制御方法、及び、Ｒ量子ドット部材１０３の位置の制御方法は、上述したとおりである。
【００８７】
次に、Ｓ８０４にて、ＣＰＵ４１３が、Ｓ８０１〜Ｓ８０３の処理が行われた後の状態における光センサ４１９のセンサ値を取得し保持する。具体的には、ＣＰＵ４１３は、Ｒ光センサ５０１のＲセンサ値（輝度の値）を、Ｒ光センサ５０１からセンサ値入力部４１０（または、センサ値入力部４１０とキャリブレーション制御部４０７）を介して取得する。ＣＰＵ４１３は、Ｇ光センサ５０２のＧセンサ値を、Ｇ光センサ５０２からセンサ値入力部４１０を介して取得する。ＣＰＵ４１３は、Ｂ光センサ５０２のＢセンサ値を、Ｂ光センサ５０３からセンサ値入力部４１０を介して取得する。ＣＰＵ４１３は、Ｓ８０１〜Ｓ８０３の処理が行われた後の状態に対応する設定値（輝度設定値、Ｒ状態設定値、及び、Ｇ状態設定値）を、キャリブレーション制御部４０７から取得する。Ｒ状態設定値は、Ｒ量子ドット部材１０３の位置（状態）に関する状態設定値であり、Ｇ状態設定値は、Ｇ量子ドット部材１０４の位置に関する状態設定値である。そして、ＣＰＵ４１３は、取得したセンサ値と設定値を、互いに関連付けて、ＲＡＭ４１２に記録する。即ち、Ｒセンサ値、Ｇセンサ値、及び、Ｂセンサ値と、輝度設定値、Ｒ状態設定値、及び、Ｇ状態設定値とが、互いに関連付けられて、ＲＡＭ４１２に記録される。センサ値と設定値の記録が完了すると、Ｓ８０５へ処理が進められる。
【００８８】
本実施例では、Ｒ量子ドット部材１０３の位置を徐々に変えながら複数のセンサ値（Ｒセンサ値、Ｇセンサ値、及び、Ｂセンサ値の複数の組み合わせ）が取得される。具体的には、Ｒ状態設定値を徐々に変えながら複数のセンサ値が取得される。本実施例では、上述した重畳部分におけるＲ量子ドット部材１０３の厚さ最も薄い状態に対応するＲ状態設定値が、Ｒ状態設定値の初期値として使用される。また、上述した重畳部分におけるＲ量子ドット部材１０３の厚さ最も厚い状態に対応するＲ状態設定値が、Ｒ状態設定値の最終値として使用される。そして、上述した重畳部分におけるＲ量子ドット部材１０３の厚さ徐々に増すように、Ｒ状態設定値が徐々に変更される。
【００８９】
Ｓ８０５にて、ＣＰＵ４１３（または、キャリブレーション制御部４０７）が、全てのＲ状態設定値（Ｒ量子ドット部材１０３の全ての位置）についてＳ８０４の処理が行われ
たか否かを判断する。全てのＲ状態設定値についてＳ８０４の処理が行われたと判断された場合には、Ｓ８０６へ処理が進められる。Ｓ８０４の処理が行われていないＲ状態設定値が存在すると判断された場合には、Ｓ８０３へ処理が戻され、Ｓ８０３にてＲ状態設定値が更新される。全てのＲ状態設定値についてＳ８０４の処理が行われたと判断されるまで、Ｓ８０３〜Ｓ８０５の処理が繰り返される。
【００９０】
具体的には、ＣＰＵ４１３は、現在のＲ状態設定値が最終値であるか否かを判断する。現在のＲ状態設定値が最終値であると判断された場合には、Ｓ８０６へ処理が進められる。現在のＲ状態設定値が最終値でないと判断された場合には、Ｓ８０３へ処理が戻され、Ｓ８０３にてＲ状態設定値が更新される。現在のＲ状態設定値が最終値であると判断されるまで、Ｓ８０３〜Ｓ８０５の処理が繰り返される。
【００９１】
同様に、本実施例では、Ｇ量子ドット部材１０４の位置を徐々に変えながら複数のセンサ値（Ｒセンサ値、Ｇセンサ値、及び、Ｂセンサ値の複数の組み合わせ）が取得される。具体的には、Ｇ状態設定値を徐々に変えながら複数のセンサ値が取得される。
【００９２】
Ｓ８０６にて、ＣＰＵ４１３（または、キャリブレーション制御部４０７）が、全てのＧ状態設定値についてＳ８０４の処理が行われたか否かを判断する。全てのＧ状態設定値についてＳ８０４の処理が行われたと判断された場合には、Ｓ８０７へ処理が進められる。Ｓ８０４の処理が行われていないＧ状態設定値が存在すると判断された場合には、Ｓ８０２へ処理が戻され、Ｓ８０２にてＧ状態設定値が更新される。全てのＧ状態設定値についてＳ８０４の処理が行われたと判断されるまで、Ｓ８０３〜Ｓ８０６の処理が繰り返される。なお、Ｓ８０２にてＧ状態設定値が更新される度に、Ｓ８０３にてＲ状態設定値が初期値にリセットされ、Ｓ８０３〜Ｓ８０５の処理が繰り返される。
【００９３】
なお、状態設定値の初期値、状態設定値の最終値、及び、状態設定値の変更方法は、特に限定されない。重畳部分の全体に量子ドット部材が存在する状態設定値のみが使用されてもよいし、重畳部分の一部にのみ量子ドット部材が存在する状態設定値がさらに使用されてもよい。重畳部分に量子ドット部材が存在しない状態設定値がさらに使用されてもよい。状態設定値の１回の変化量は、最小の変化量であってもよいし、そうでなくてもよい。
【００９４】
また、本実施例では、ＢＬＥＤ１０２の発光輝度を徐々に変えながら複数のセンサ値（Ｒセンサ値、Ｇセンサ値、及び、Ｂセンサ値の複数の組み合わせ）が取得される。具体的には、輝度設定値を徐々に変えながら複数のセンサ値が取得される。本実施例では、ＢＬＥＤ１０２の発光輝度の下限値が、輝度設定値の初期値として使用される。また、ＢＬＥＤ１０２の発光輝度の上限値が、輝度設定値の最終値として使用される。そして、ＢＬＥＤ１０２の発光輝度が徐々に増すように、輝度設定値が徐々に変更される。
【００９５】
Ｓ８０７にて、ＣＰＵ４１３（または、キャリブレーション制御部４０７）が、全ての輝度設定値（ＢＬＥＤ１０２の全ての発光輝度）についてＳ８０４の処理が行われたか否かを判断する。全ての輝度設定値についてＳ８０４の処理が行われたと判断された場合には、Ｓ８０８へ処理が進められる。Ｓ８０４の処理が行われていない輝度設定値が存在すると判断された場合には、Ｓ８０１へ処理が戻され、Ｓ８０１にて輝度設定値が更新される。全ての輝度設定値についてＳ８０４の処理が行われたと判断されるまで、Ｓ８０３〜Ｓ８０７の処理が繰り返される。なお、Ｓ８０１にて輝度設定値が更新される度に、Ｓ８０２にてＧ状態設定値が初期値にリセットされ、Ｓ８０２〜Ｓ８０６の処理が繰り返される。
【００９６】
なお、輝度設定値の初期値、輝度設定値の最終値、及び、輝度設定値の変更方法は、特
に限定されない。所定の閾値Ｔｈ３以上の発光輝度に対応する輝度設定値のみが使用されてもよいし、所定の閾値Ｔｈ４以下の発光輝度に対応する輝度設定値のみが使用されてもよい。閾値Ｔｈ３以上かつ閾値Ｔｈ４以下の発光輝度に対応する輝度設定値のみが使用されてもよい。閾値Ｔｈ３は、所定の閾値Ｔｈ４より小さい。輝度設定値の１回の変化量は、最小の変化量であってもよいし、そうでなくてもよい。
【００９７】
Ｓ８０８にて、ＣＰＵ４１３のソフトウェア処理により、バックライトユニット４０２の発光状態を所望の状態と略同一な状態に制御するための好適な設定値（輝度設定値、Ｒ状態設定値、及び、Ｇ状態設定値の複数の組み合わせ）が決定される。バックライトユニット４０２の発光状態を所望の状態と略同一な状態に制御するための設定値は、ＲＡＭ４１２に記録された複数の設定値（輝度設定値、Ｒ状態設定値、及び、Ｇ状態設定値の複数の組み合わせ）に基づいて決定される。決定された設定値は、キャリブレーション処理の結果としてＳ７０３にて使用される。そのため、決定された設定値は、ＲＡＭ４１２によって保持される。
【００９８】
本実施例では、ＲＡＭ４１２に記録された複数のセンサ値（Ｒセンサ値、Ｇセンサ値、及び、Ｂセンサ値の複数の組み合わせ）のうちの、目標値に最も近いセンサ値が選択される。例えば、Ｒセンサ値とＲ目標値の差、Ｇセンサ値とＧ目標値の差、及び、Ｂセンサ値とＢ目標値の差の平均値が最小となるセンサ値（Ｒセンサ値、Ｇセンサ値、及び、Ｂセンサ値の組み合わせ）が選択される。そして、選択されたセンサ値に対応する設定値が、バックライトユニット４０２の発光状態を所望の状態と略同一な状態に制御するための設定値として決定される。なお、ＲＡＭ４１２に記録された設定値を調整することにより、バックライトユニット４０２の発光状態を所望の状態と略同一な状態に制御するための設定値が決定されてもよい。
【００９９】
なお、図８のキャリブレーション処理では、全ての設定値についてセンサ値が取得されるが、一部の設定値についてのみセンサ値が取得されてもよい。例えば、センサ値と目標値の差が所定の閾値Ｔｈ５以下となるまで設定値を徐々に変えてもよい。その場合には、設定値の１回の変化量が、センサ値と目標値の差に基づいて決定（更新）されてもよい。
【０１００】
また、図８のキャリブレーション処理の結果を用いれば、バックライトユニット４０２の発光輝度を所望の輝度に近づけることも、バックライトユニット４０２の発光色を所望の色に近づけることもできる。しかしながら、バックライトユニット４０２の発光輝度は意図的に変更されずに、バックライトユニット４０２の発光色が所望の色に近づけられてもよい。例えば、キャリブレーション処理において、ＢＬＥＤ１０２の発光輝度が変更されずに、Ｒ量子ドット部材１０３の位置とＧ量子ドット部材１０４の位置とのみが変更されてもよい。そして、Ｒセンサ値、Ｇセンサ値、及び、Ｂセンサ値の比が所定比に最も近いセンサ値が選択され、選択されたセンサ値に対応する設定値がキャリブレーション処理の結果として決定されてもよい。それにより、バックライトユニット４０２の発光輝度は意図的に変更せずに、バックライトユニット４０２の発光色を所望の色に近づけることができる。
【０１０１】
なお、本実施例では、厚さが不均一な量子ドット部材を用いる例を説明したが、厚さが均一な量子ドット部材が使用されてもよい。図９は、本実施例に係る他のバックライトユニットの断面図である。図９の例では、意図的に厚さが調整されていないＲ量子ドット部材９０１がＲ量子ドット部材１０３の代わりに使用されており、意図的に厚さが調整されていないＧ量子ドット部材９０２がＧ量子ドット部材１０４の代わりに使用されている。Ｒ量子ドット部材９０１の厚さは、均一であってもよいし、不均一であってもよい。同様に、Ｇ量子ドット部材９０２の厚さは、均一であってもよいし、不均一であってもよい。量子ドット部材の厚さを意図的に調整しないことにより、量子ドット部材の製造が容易化
され、量子ドット部材の製造コストを低減することができる。ひいては、バックライト装置の製造、液晶表示装置の製造、等も容易化され、バックライト装置の製造コスト、液晶表示装置の製造コスト、等も低減することができる。
【０１０２】
図９の構成などにおいては、量子ドット部材における、励起光が照射される照射領域のサイズが変わるように、量子ドット部材が駆動されればよい。即ち、重畳部分における量子ドット部材のサイズが変わるように、量子ドット部材が駆動されればよい。ＢＬＥＤ１０２からの励起光（青色光）が一定である場合において、照射領域のサイズを低減することにより、励起光が照射される量子ドット数が減る。その結果、量子ドット部材によって生成されて量子ドット部材から出射される蛍光の輝度が低下する。さらに、照射領域のサイズが減った分だけ、導光板１０１に入射する他の光（励起光、他の量子ドット部材によって生成された蛍光、等）の輝度が増す。そのため、照射領域のサイズを変えることにより、バックライトユニットの発光色を変えることができる。
【０１０３】
図９の例では、重畳部分の一部にのみＲ量子ドット部材９０１が存在するため、重畳部分の全体にＲ量子ドット部材９０１が存在する場合に比べ低い輝度の赤色光が、Ｒ量子ドット部材９０１によって生成される。さらに、重畳部分の一部にのみＧ量子ドット部材９０２が存在するため、重畳部分の全体にＧ量子ドット部材９０２が存在する場合に比べ低い輝度の緑色光が、Ｇ量子ドット部材９０２によって生成される。そして、重畳部分の全体にＲ量子ドット部材９０１とＧ量子ドット部材９０２が存在する場合に比べ高い輝度の青色光が、導光板１０１に入射する。そのため、重畳部分の全体にＲ量子ドット部材９０１とＧ量子ドット部材９０２が存在する場合に比べ青色に近い色の光が、バックライトユニットから発せられる。
【０１０４】
なお、図９の例では、量子ドット部材の駆動により、当該量子ドット部材に入射した励起光が通る通過領域のサイズも変わるが、照射領域のサイズが変われば、通過領域のサイズは変わらなくてもよい。同様に、通過領域のサイズが変われば、照射領域のサイズは変わらなくてもよい。
【０１０５】
以上述べたように、本実施例によれば、変換部材を有する発光装置において、変換部材（例えば量子ドット部材）を移動させることにより、発光装置の発光（発光色、発光輝度、等）を容易に調整することができる。
【０１０６】
＜実施例２＞
以下、本発明の実施例２について説明する。本実施例では、実施例１よりも容易に変換部材（量子ドット部材）を駆動することができる例を説明する。なお、以下では、実施例１と異なる点（構成、処理、等）について詳しく説明し、実施例１と同じ点についての説明は省略する。
【０１０７】
図１０（Ａ），１０（Ｂ）は、本実施例に係るバックライトユニットの断面図である。図１０（Ａ），１０（Ｂ）の例では、Ｒ量子ドット部材１００１が、実施例１のＲ量子ドット部材１０３の代わりに使用されており、Ｇ量子ドット部材１００２が、実施例１のＧ量子ドット部材１０４の代わりに使用されている。Ｒ量子ドット部材１００１の形状は特に限定されないが、図１０（Ａ），１０（Ｂ）では、Ｒ量子ドット部材１００１は板状部材である。同様に、Ｇ量子ドット部材１００２の形状は特に限定されないが、図１０（Ａ），１０（Ｂ）では、Ｇ量子ドット部材１００２は板状部材である。ＢＬＥＤ１０２の発光方向に略垂直な方向に対してＲ量子ドット部材１００１の板面（前面および背面）が略平行となるように、Ｒ量子ドット部材１００１が設けられている。同様に、ＢＬＥＤ１０２の発光方向に略垂直な方向に対してＧ量子ドット部材１００２の板面が略平行となるように、Ｇ量子ドット部材１００２が設けられている。
【０１０８】
図１０（Ａ），１０（Ｂ）の例では、量子ドット駆動部４１７は、以下の条件１，２が満たされるように、Ｒ量子ドット部材１００１とＧ量子ドット部材１００２のそれぞれを回転させる。
条件１：ＢＬＥＤ１０２の発光方向に略垂直な方向が、量子ドット部材の回転の軸とされている。
条件２：量子ドット部材の端部が、当該量子ドット部材の回転の中心とされている。
【０１０９】
図１０（Ａ）の状態では、Ｒ量子ドット部材１００１の板面がＢＬＥＤ１０２の発光方向に垂直であり、Ｒ通過領域が小さい。そのため、Ｒ量子ドット部材１００１によって生成されてＲ量子ドット部材１００１から出射される赤色光の輝度が低く、Ｒ量子ドット部材１００１から出射される青色光の輝度が高い。同様に、図１０（Ａ）の状態では、Ｇ量子ドット部材１００２の板面がＢＬＥＤ１０２の発光方向に垂直であり、Ｇ通過領域が小さい。そのため、Ｇ量子ドット部材１００２によって生成されてＧ量子ドット部材１００２から出射される緑色光の輝度が低く、Ｇ量子ドット部材１００２から出射される青色光の輝度が高い。
【０１１０】
図１０（Ｂ）の状態では、Ｒ量子ドット部材１００１の板面がＢＬＥＤ１０２の発光方向に垂直でなく、図１０（Ａ）の状態に比べＲ通過領域が大きい。そのため、Ｒ量子ドット部材１００１によって生成されてＲ量子ドット部材１００１から出射される赤色光の輝度が、図１０（Ａ）の状態に比べ高く、Ｒ量子ドット部材１００１から出射される青色光の輝度が、図１０（Ａ）の状態に比べ低い。同様に、図１０（Ｂ）の状態では、Ｇ量子ドット部材１００２の板面がＢＬＥＤ１０２の発光方向に垂直でなく、図１０（Ａ）の状態に比べＧ通過領域が大きい。そのため、Ｇ量子ドット部材１００２によって生成されてＧ量子ドット部材１００２から出射される緑色光の輝度が、図１０（Ａ）の状態に比べ高く、Ｇ量子ドット部材１００２から出射される青色光の輝度が、図１０（Ａ）の状態に比べ低い。
【０１１１】
図１０（Ａ），１０（Ｂ）の構成では、図１０（Ａ）の状態で、導光板１０１に入射する光、導光板１０１から出射される光、等に含まれる赤色光と緑色光の輝度が最小となる。そして、導光板１０１に入射する光、導光板１０１から出射される光、等に含まれる青色光の輝度が最大となる。また、図１０（Ｂ）の状態で、導光板１０１に入射する光、導光板１０１から出射される光、等に含まれる赤色光と緑色光の輝度が最大となる。そして、導光板１０１に入射する光、導光板１０１から出射される光、等に含まれる青色光の輝度が最小となる。図１０（Ａ）の状態と図１０（Ｂ）の状態との間の状態も実現できる。量子ドット部材の回転角度を変えることにより、導光板１０１に入射する光の色、導光板１０１から出射される光の色、等を変えることができる。
【０１１２】
図１１（Ａ），１１（Ｂ）は、本実施例に係る他のバックライトユニットの断面図である。図１１（Ａ），１１（Ｂ）の例では、Ｒ量子ドット部材１１０１が、実施例１のＲ量子ドット部材１０３の代わりに使用されており、Ｇ量子ドット部材１１０２が、実施例１のＧ量子ドット部材１０４の代わりに使用されている。Ｒ量子ドット部材１１０１の形状は特に限定されないが、図１１（Ａ），１１（Ｂ）では、Ｒ量子ドット部材１１０１は楕円柱状部材である。同様に、Ｇ量子ドット部材１１０２の形状は特に限定されないが、図１１（Ａ），１１（Ｂ）では、Ｇ量子ドット部材１１０２は楕円柱状部材である。ＢＬＥＤ１０２の発光方向に対してＲ量子ドット部材１１０１の軸方向（高さ方向）が略垂直となるように、Ｒ量子ドット部材１１０１が設けられている。同様に、ＢＬＥＤ１０２の発光方向に対してＧ量子ドット部材１１０２の軸方向が略垂直となるように、Ｇ量子ドット部材１１０２が設けられている。
【０１１３】
図１１（Ａ），１１（Ｂ）の例では、量子ドット駆動部４１７は、上述した条件１と以下の条件３とが満たされるように、Ｒ量子ドット部材１１０１とＧ量子ドット部材１１０２のそれぞれを回転させる。
条件３：量子ドット部材の中心部が、当該量子ドット部材の回転の中心とされている。
【０１１４】
図１１（Ａ）の状態では、Ｒ量子ドット部材１１０１の短径方向（楕円の短径の方向）がＢＬＥＤ１０２の発光方向に平行であり、Ｒ通過領域が小さい。そのため、Ｒ量子ドット部材１１０１によって生成されてＲ量子ドット部材１１０１から出射される赤色光の輝度が低く、Ｒ量子ドット部材１１０１から出射される青色光の輝度が高い。同様に、図１１（Ａ）の状態では、Ｇ量子ドット部材１１０２の短径方向がＢＬＥＤ１０２の発光方向に平行であり、Ｇ通過領域が小さい。そのため、Ｇ量子ドット部材１１０２によって生成されてＧ量子ドット部材１１０２から出射される緑色光の輝度が低く、Ｇ量子ドット部材１１０２から出射される青色光の輝度が高い。
【０１１５】
図１１（Ｂ）の状態では、Ｒ量子ドット部材１００１の長径方向（楕円の長径の方向）がＢＬＥＤ１０２の発光方向に平行であり、図１１（Ａ）の状態に比べＲ通過領域が大きい。そのため、Ｒ量子ドット部材１１０１によって生成されてＲ量子ドット部材１１０１から出射される赤色光の輝度が、図１１（Ａ）の状態に比べ高く、Ｒ量子ドット部材１１０１から出射される青色光の輝度が、図１１（Ａ）の状態に比べ低い。同様に、図１１（Ｂ）の状態では、Ｇ量子ドット部材１１０２の長径方向がＢＬＥＤ１０２の発光方向に平行であり、図１１（Ａ）の状態に比べＧ通過領域が大きい。そのため、Ｇ量子ドット部材１１０２によって生成されてＧ量子ドット部材１１０２から出射される緑色光の輝度が、図１１（Ａ）の状態に比べ高く、Ｇ量子ドット部材１１０２から出射される青色光の輝度が、図１１（Ａ）の状態に比べ低い。
【０１１６】
図１１（Ａ），１１（Ｂ）の構成では、図１１（Ａ）の状態で、導光板１０１に入射する光、導光板１０１から出射される光、等に含まれる赤色光と緑色光の輝度が最小となる。そして、導光板１０１に入射する光、導光板１０１から出射される光、等に含まれる青色光の輝度が最大となる。また、図１１（Ｂ）の状態で、導光板１０１に入射する光、導光板１０１から出射される光、等に含まれる赤色光と緑色光の輝度が最大となる。そして、導光板１０１に入射する光、導光板１０１から出射される光、等に含まれる青色光の輝度が最小となる。図１１（Ａ）の状態と図１１（Ｂ）の状態との間の状態も実現できる。量子ドット部材の回転角度を変えることにより、導光板１０１に入射する光の色、導光板１０１から出射される光の色、等を変えることができる。
【０１１７】
なお、条件１〜３は必須の条件ではない。少なくとも以下の条件４が満たされれば、条件１は満たされなくてもよい。即ち、量子ドット部材の回転の軸方向は、ＢＬＥＤ１０２の発光方向に略垂直な方向と異なっていてもよい。また、量子ドット部材の回転によって当該量子ドット部材から出射される光が変われば、量子ドット部材の回転の中心位置は特に限定されない。例えば、量子ドット部材の外側の位置を中心として、当該量子ドット部材が回転させられてもよい。また、量子ドット部材の回転によって当該量子ドット部材から出射される光が変われば、量子ドット部材の形状も特に限定されない。
条件４：ＢＬＥＤ１０２の発光方向に非平行な方向が、量子ドット部材の回転の軸とされている。
【０１１８】
図１２を用いて、量子ドット部材の駆動方法の具体例を説明する。図１２は、本実施例に係るバックライトユニットの正面図である。図１２において、図６（Ａ）の部材と同じ部材には、図６（Ａ）と同じ符号が付されている。図１２の例では、Ｒ伝達ベルト６０２は、Ｒモーター６０１のシャフトと、Ｒ量子ドット部材１１０１の回転軸とに掛かってい
る。そのため、Ｒモーター６０１の回転によりＲ伝達ベルト６０２が回転し、Ｒ伝達ベルト６０２の回転によりＲ量子ドット部材１１０１が回転する。同様に、Ｇ伝達ベルト６０６は、Ｇモーター６０５のシャフトと、Ｇ量子ドット部材１１０２の回転軸とに掛かっている。そのため、Ｇモーター６０５の回転によりＧ伝達ベルト６０６が回転し、Ｇ伝達ベルト６０６の回転によりＧ量子ドット部材１１０２が回転する。このように、図１２の駆動機構によれば、「ボールねじ等を使用せずに、モーターの回転を伝達ベルトで量子ドット部材に伝える」という、実施例１に比べ簡易な駆動機構で、量子ドット部材を駆動することができる。なお、図１０（Ａ），１０（Ｂ）の構成においても、図１２の駆動機構と同様の駆動機構を採用することができる。
【０１１９】
以上述べたように、本実施例によれば、変換部材を有する発光装置において、変換部材（例えば量子ドット部材）を回転させることにより、発光装置の発光色を容易に調整することができる。また、変換部材の駆動機構として、より簡易な駆動機構を採用することができる。
【０１２０】
＜実施例３＞
以下、本発明の実施例３について説明する。実施例１では、バックライトからの光に含まれる蛍光の輝度を制御する例を説明した。本実施例では、バックライトからの光に含まれる蛍光のスペクトルを制御する例を説明する。また、実施例１では、励起光が青色光である例を説明した。本実施例では、励起光が紫外光である例を説明する。「紫外光」は「近紫外光」を含む。なお、以下では、実施例１と異なる点（構成、処理、等）について詳しく説明し、実施例１と同じ点についての説明は省略する。
【０１２１】
図１３（Ａ）は、本実施例に係るバックライトユニットの断面図である。図１３（Ａ）の例では、発光素子としてＵＶＬＥＤ１３０１が使用されており、量子ドット部材として、Ｒ量子ドット部材１３０２、Ｇ量子ドット部材１３０３、及び、Ｂ量子ドット部材１３０４（Ｂ変換部材）が使用されている。また、Ｂ量子ドット部材１３０４と導光板１０１の間にＵＶフィルタ１３０５が設けられている。図１３（Ａ）では、ＵＶフィルタ１３０５が導光板１０１に密着しているが、ＵＶフィルタ１３０５は導光板１０１から離れていてもよい。
【０１２２】
ＵＶＬＥＤ１３０１は、紫外光を発するＬＥＤである。Ｒ量子ドット部材１３０２は、紫外光を赤色光に変換する量子ドット部材である。Ｇ量子ドット部材１３０３は、紫外光を緑色光に変換する量子ドット部材である。Ｂ量子ドット部材１３０４は、紫外光を青色光に変換する量子ドット部材である。本実施例では、ＵＶＬＥＤ１３０１から発せられた紫外光の一部がＲ量子ドット部材１３０２によって赤色光に変換されたり、ＵＶＬＥＤ１３０１から発せられた紫外光の一部がＧ量子ドット部材１３０３によって緑色光に変換されたりする。また、ＵＶＬＥＤ１３０１から発せられた紫外光の一部がＢ量子ドット部材１３０４によって青色光に変換されたりもする。そのため、赤色光、緑色光、及び、青色光を含む光を導光板１０１に入射することができる。ここで、ＵＶＬＥＤ１３０１から発せられた紫外光の一部は、赤色光、緑色光、及び、青色光のどれにも変換されない。しかしながら、赤色光、緑色光、及び、青色光のどれにも変換されなかった紫外光はＵＶフィルタ１３０５で遮られるため、紫外光がＵＶＬＥＤ１３０１に入射することは無い。本実施例でも、実施例１と同様に、各量子ドット部材をスライド方向に沿って移動させることができる。
【０１２３】
本実施例では、スライド方向において量子ドットのサイズが不均一となるように、各量子ドット部材が構成されている。具体的には、スライド方向に沿って量子ドットのサイズが徐々に増加するように、各量子ドット部材が構成されている。蛍光の主波長は量子ドットのサイズに依存するため、上記構成によれば、通過領域を制御することにより、生成さ
れる蛍光の主波長を制御することができる。
【０１２４】
図１３（Ｂ）は、量子ドット部材内の位置と生成される蛍光の主波長との対応関係を示す特性の一例を示す。図１３（Ｂ）の横軸は、スライド方向における量子ドット部材内の位置ｘを示し、図１３（Ｂ）の縦軸は、生成される蛍光の主波長を示す。Ｒ特性１３０６はＲ量子ドット部材１３０２の特性であり、Ｇ特性１３０７はＧ量子ドット部材１３０３の特性であり、Ｂ特性１３０８はＢ量子ドット部材１３０４の特性である。スライド方向に沿って量子ドットのサイズが徐々に増加するため、図１３（Ｂ）の例では、位置ｘが位置Ｌに近いほど主波長が長い。
【０１２５】
なお、励起光を蛍光に変換する変換特性は、励起光と蛍光の主波長との対応関係を示す特性に限られない。例えば、変換特性は、励起光と、蛍光のスペクトルの形状（波長の半値幅など）との対応関係を示す特性であってもよい。変換特性は、励起光と蛍光の輝度との対応関係を示す特性であってもよい。変換特性が不均一であれば、変換特性の種類に依らず、通過領域が変わるように量子ドット部材を変えることにより、蛍光のスペクトル（主波長、スペクトルの形状、主波長の輝度、等）を変えることができる。量子ドットのサイズの分布は特に限定されない。例えば、スライド方向に沿って量子ドットのサイズが徐々に増加する部分と、スライド方向に沿って量子ドットのサイズが徐々に減少する部分との両方が存在してもよい。変換特性を不均一にする方法は特に限定されない。例えば、量子ドットの密度、量子ドットの材料、等を不均一にすることにより、変換特性が不均一にされてもよい。変換特性が不均一になれば、量子ドットのサイズなどは均一であってもよい。
【０１２６】
図１４（Ａ），１４（Ｂ）を用いて、本実施例に係るバックライトユニットの発光色の調整方法の具体例を説明する。ここでは、調整前のバックライトユニットの状態が図１３（Ａ）の状態であるとする。図１４（Ａ）は、調整後のバックライトユニットの状態の一例を示す断面図である。図１４（Ｂ）は、バックライトユニットから発せられた光のスペクトルの一例を示すグラフである。図１４（Ｂ）の横軸は波長を示し、図１４（Ｂ）の縦軸は輝度を示す。図１４（Ｂ）において、符号１４０１は、調整前の青色光のスペクトルを示し、符号１４０２は、調整後の青色光のスペクトルを示す。符号１４０３は、調整前の緑色光のスペクトルを示し、符号１４０４は、調整後の緑色光のスペクトルを示す。そして、符号１４０５は、調整前の赤色光のスペクトルを示し、符号１４０６は、調整後の赤色光のスペクトルを示す。
【０１２７】
図１４（Ａ）の状態から図１４（Ｂ）の状態へバックライトユニットの状態が制御されると、Ｒ量子ドット部材１３０２、Ｇ量子ドット部材１３０３、及び、Ｂ量子ドット部材１３０４のそれぞれにおいて、通過領域の位置が位置ｘ＝Ｌに近づく。図１３（Ｂ）に示すように、位置ｘが位置Ｌに近いほど主波長が長い。そのため、図１４（Ａ）の状態から図１４（Ｂ）の状態へバックライトユニットの状態が制御されると、青色光のスペクトル１４０１が、スペクトル１４０１よりも主波長が長いスペクトル１４０２に調整される。同様に、赤色光のスペクトル１４０３が、スペクトル１４０３よりも主波長が長いスペクトル１４０４に調整され、緑色光のスペクトル１４０５が、スペクトル１４０４よりも主波長が長いスペクトル１４０６に調整される。その結果、バックライトユニットの発光色が調整される。
【０１２８】
なお、Ｒ量子ドット部材１３０２、Ｇ量子ドット部材１３０３、及び、Ｂ量子ドット部材１３０４を同じ方向に移動させる例を説明したが、調整方法はこれに限られない。Ｒ量子ドット部材１３０２、Ｇ量子ドット部材１３０３、及び、Ｂ量子ドット部材１３０４は個別に移動させることができる。そのため、複数の量子ドット部材のいずれかにおいてスペクトルの主波長が長波長側へ調整され、且つ、複数の量子ドット部材の他のいずれかに
おいてスペクトルの主波長が短波長側へ調整されるように、各量子ドット部材が移動させられることもある。複数の量子ドット部材の間で量子ドット部材の移動量が等しい場合もあれば、複数の量子ドット部材の間で量子ドット部材の移動量が異なる場合もある。
【０１２９】
本実施例に係るキャリブレーション処理（図７のＳ７０２）の処理フローの一例を、図１５を用いて説明する。図１５は、本実施例に係るキャリブレーション処理の処理フローの一例を示すフローチャートである。
【０１３０】
本実施例では、図８のＳ８０１の処理の代わりに、Ｓ１５０１の処理が行われる。Ｓ１５０１にて、キャリブレーション制御部４０７、量子ドット状態制御部４０９、及び、量子ドット駆動部４１７により、Ｂ量子ドット部材１３０４の位置が制御される。そして、Ｓ８０２とＳ８０３の処理が行われる。
【０１３１】
また、本実施例では、図８のＳ８０４の処理の代わりに、Ｓ１５０２の処理が行われる。Ｓ１５０２にて、ＣＰＵ４１３が、Ｓ１５０１、Ｓ８０２、及び、Ｓ８０３の処理が行われた後の状態における光センサ４１９のセンサ値を取得し保持する。本実施例では、導光板１０１からの光に含まれる赤色光のスペクトル（または主波長）を示すセンサ値が、Ｒセンサ値として取得される。導光板１０１からの光に含まれる緑色光のスペクトルを示すセンサ値が、Ｇセンサ値として取得される。そして、導光板１０１からの光に含まれる青色光のスペクトルを示すセンサ値が、Ｂセンサ値として取得される。これらのセンサ値は、例えば、光センサとして分光センサを用いることにより得られる。ＣＰＵ４１３は、Ｓ１５０１、Ｓ８０２、及び、Ｓ８０３の処理が行われた後の状態に対応する設定値（Ｒ状態設定値、Ｇ状態設定値、及び、Ｂ状態設定値）を、キャリブレーション制御部４０７から取得する。Ｂ状態設定値は、Ｂ量子ドット部材１３０４の位置（状態）に関する状態設定値である。そして、ＣＰＵ４１３は、取得したセンサ値と設定値を、互いに関連付けて、ＲＡＭ４１２に記録する。センサ値と設定値の記録が完了すると、Ｓ８０５とＳ８０６の処理が行われる。Ｓ８０６において、全てのＧ状態設定値についてＳ１５０２の処理が行われたと判断された場合には、Ｓ１５０３へ処理が進められる。
【０１３２】
Ｓ１５０３にて、ＣＰＵ４１３（または、キャリブレーション制御部４０７）が、全てのＢ状態設定値についてＳ１５０２の処理が行われたか否かを判断する。全てのＢ状態設定値についてＳ１５０２の処理が行われたと判断された場合には、Ｓ１５０４へ処理が進められる。Ｓ１５０２の処理が行われていないＧ状態設定値が存在すると判断された場合には、Ｓ１５０１へ処理が戻され、Ｓ１５０１にてＢ状態設定値が更新される。全てのＢ状態設定値についてＳ１５０１の処理が行われたと判断されるまで、Ｓ１５０１〜Ｓ１５０３の処理が繰り返される。なお、Ｓ１５０１にてＢ状態設定値が更新される度に、Ｓ８０２にてＢ状態設定値が初期値にリセットされ、Ｓ８０２〜Ｓ８０６の処理が繰り返される。
【０１３３】
Ｓ１５０４にて、ＣＰＵ４１３のソフトウェア処理により、バックライトユニット４０２の発光状態を所望の状態と略同一な状態に制御するための好適な設定値（Ｒ状態設定値、Ｇ状態設定値、及び、Ｂ状態設定値の複数の組み合わせ）が決定される。バックライトユニット４０２の発光状態を所望の状態と略同一な状態に制御するための設定値は、ＲＡＭ４１２に記録された複数の設定値（Ｒ状態設定値、Ｇ状態設定値、及び、Ｂ状態設定値の複数の組み合わせ）に基づいて決定される。決定された設定値は、キャリブレーション処理の結果としてＳ７０３にて使用される。即ち、決定されたＲ状態設定値に基づくＲ量子ドット部材１３０２の駆動、決定されたＧ状態設定値に基づくＧ量子ドット部材１３０３の駆動、及び、決定されたＢ状態設定値に基づくＢ量子ドット部材１３０４の駆動が行われる。そのため、決定された設定値は、ＲＡＭ４１２によって保持される。
【０１３４】
以上述べたように、本実施例によれば、内部における変換特性が不均一な変換部材（例えば量子ドット部材）を用いることにより、通過領域のサイズ、照射領域のサイズ、等を変えずに、発光装置の発光を容易に調整することができる。
【０１３５】
＜実施例４＞
以下、本発明の実施例４について説明する。画面全体に渡って設定値（駆動設定値、状態設定値、等）が均一である場合を考える。「画面全体」は「発光装置の発光面全体」とも言える。この場合には、発光装置から発せられた光、表示装置の画面に表示された画像（表示画像）、等にムラ（輝度ムラ、色ムラ、等）が生じることがある。例えば、複数の発光素子の間の発光特性のばらつきがある場合に、当該ばらつきにより上記ムラが生じる。そこで、本実施例では、上記ムラの発生の抑制、上記ムラの低減、等を実現できる例を説明する。なお、以下では、実施例１と異なる点（構成、処理、等）について詳しく説明し、実施例１と同じ点についての説明は省略する。
【０１３６】
図１６は、本実施例に係るバックライトユニットの正面図である。本実施例では、バックライトユニットは、発光面の複数の領域（複数の部分発光領域）にそれぞれ対応する複数の発光群１６０１（複数の部分発光部）を有する。発光面は、例えば、導光板１０１の前面である。複数の発光群１６０１は、導光板１０１の下端（下側の辺）に沿って並べられている。各発光群１６０１は、ＢＬＥＤ１０２（光源部；発光素子）、Ｒ量子ドット部材１０３、及び、Ｇ量子ドット部材１０４を有する。各ＢＬＥＤ１０２は個別に駆動可能であり、各Ｒ量子ドット部材１０３は個別に駆動可能であり、各Ｇ量子ドット部材１０４は個別に駆動可能である。なお、発光群１６０１の数が２つ以上であれば、発光群１６０１の数は特に限定されない。発光群１６０１の配置も特に限定されない。
【０１３７】
また、図１６の例では、バックライトユニットは、複数の光センサ群１６０２（複数の部分検出部）を有する。複数の光センサ群１６０２は、複数の部分発光領域にそれぞれ対応し、複数の発光群１６０１にそれぞれ対応する。複数の光センサ群１６０２により、各発光群１６０１から発せられた光が検出される。具体的には、各光センサ群１６０２は、対応する部分発光領域から発せられた光に相当する光を検出する。複数の光センサ群１６０２は、導光板１０１の上端に沿って並べられている。各光センサ群１６０２は、Ｒ光センサ５０１、Ｇ光センサ５０２、及び、Ｂ光センサ５０３を有する。なお、複数の光センサ群１６０２は１つの部材で構成されていてもよい。光センサ群１６０２の数が２つ以上であれば、光センサ群１６０２の数は特に限定されない。光センサ群１６０２の配置も特に限定されない。
【０１３８】
本実施例に係るキャリブレーション処理（図７のＳ７０２）の処理フローの一例を、図１７を用いて説明する。図１７は、本実施例に係るキャリブレーション処理の処理フローの一例を示すフローチャートである。
【０１３９】
まず、実施例１と同様に、Ｓ８０１〜Ｓ８０８の処理が行われる。Ｓ８０１〜Ｓ８０３では、全ての発光群１６０１に対して共通の設定値が使用される。具体的には、全てのＢＬＥＤ１０２に対して共通の駆動設定値が使用され、全てのＲ量子ドット部材１０３に対して共通のＲ状態設定値が使用され、全てのＧ量子ドット部材１０４に対して共通のＧ状態設定値が使用される。Ｓ８０４では、複数の光センサ群に対応する複数のセンサ値がＲＡＭ４１２に記録される。Ｓ８０８では、複数の光センサ群に対応する複数のセンサ値の代表値を用いて、実施例１と同様の処理が行われる。代表値は、平均値、最大値、最小値、最頻値、中間値、等である。例えば、複数のＲセンサ値の平均値、複数のＧセンサ値の平均値、及び、複数のＢセンサ値の平均値を用いて、実施例１と同様の処理が行われる。Ｓ８０８の処理が完了すると、Ｓ１７０１へ処理が進められる。
【０１４０】
Ｓ１７０１にて、ＣＰＵ４１３のソフトウェア処理により、処理対象の発光群１６０１に対応する光センサ群１６０２のセンサ値（ＲＡＭ４１２に記録されたセンサ値）と目標値との差が算出される。具体的には、Ｒセンサ値とＲ目標値の差、Ｇセンサ値とＧ目標値の差、及び、Ｂセンサ値とＢ目標値の差が算出される。差の算出が完了すると、Ｓ１７０２へ処理が進められる。
【０１４１】
Ｓ１７０２にて、ＣＰＵ４１３のソフトウェア処理により、Ｓ８０８で決定された設定値（駆動設定値、Ｒ状態設定値、及び、Ｇ状態設定値）が調整される。それにより、処理対象の発光群１６０１に対応する設定値が決定される。Ｓ１７０２での調整は、Ｓ８０１〜Ｓ８０８の処理によって実現可能となる調整に比べ調整量が小さい。そのため、Ｓ１７０２の調整は「微調整」とも言える。
【０１４２】
Ｓ８０８で決定された設定値は、Ｓ１７０１で算出された差に基づいて調整される。例えば、センサ値および目標値の差と、調整量との対応関係を示すテーブルが予め用意される。そして、Ｓ１７０１で算出された差に対応する調整量がテーブルから取得され、取得された調整量だけ設定値が調整される。具体的には、Ｒセンサ値とＲ目標値の差、Ｇセンサ値とＧ目標値の差、及び、Ｂセンサ値とＢ目標値の差の組み合わせと、駆動設定値の調整量、Ｒ状態設定値の調整量、及び、Ｇ状態設定値の調整量の組み合わせとの対応関係を示すテーブルが予め用意される。Ｓ１７０１で算出された差に対応する調整量として、駆動設定値の調整量、Ｒ状態設定値の調整量、及び、Ｇ状態設定値の調整量が、テーブルから取得される。取得された調整量だけ、駆動設定値、Ｒ状態設定値、及び、Ｇ状態設定値設定値が調整される。
【０１４３】
そして、ＣＰＵ４１３は、処理対象の発光群１６０１に対して決定した設定値を、ＲＡＭ４１２に記録する。処理対象の発光群１６０１に対応する設定値の決定および記録が完了すると、Ｓ１７０３へ処理が進められる。
【０１４４】
Ｓ１７０３にて、ＣＰＵ４１３が、全ての発光群１６０１についてＳ１７０１とＳ１７０２の処理が行われたか否かを判断する。全ての発光群１６０１についてＳ１７０１とＳ１７０２の処理が行われたと判断された場合には、本処理フローが終了される。Ｓ１７０１とＳ１７０２の処理が行われていない発光群１６０１が存在すると判断された場合には、Ｓ１７０１へ処理が戻され、Ｓ１７０１にて処理対象の発光群１６０１が更新される。全ての発光群１６０１についてＳ１７０１とＳ１７０２の処理が行われたと判断されるまで、Ｓ１７０１〜Ｓ１７０３の処理が繰り返される。
【０１４５】
Ｓ１７０２で決定された設定値（調整後の設定値）は、キャリブレーション処理の結果として図７のＳ７０３にて使用される。即ち、各発光群１６０１について、決定された設定値に応じた制御が個別に行われる。決定された設定値に応じた制御は、ＢＬＥＤ１０２の発光輝度の制御、Ｒ量子ドット部材１０３の駆動、及び、Ｇ量子ドット部材１０３の駆動である。
【０１４６】
Ｓ８０８では、全ての発光群１６０１に対して共通の設定値が決定される。そのため、Ｓ８０８で決定された設定値を用いると、発光装置から発せられた光、表示画像、等にムラが生じることがある。例えば、複数の光センサ群に対応する複数のセンサ値がばらついていている場合に、Ｓ８０８では当該ばらつきが考慮されないため、上記ムラが生じる。Ｓ１７０２では、複数の光センサ群１６０２の間におけるセンサ値のばらつきが低減するように、設定値が調整される（センサ値の均一化）。例えば、処理対象の発光群１６０１に対応する光センサ群１６０２のセンサ値が目標値に近づくように、設定値が調整される。それにより、各光センサ群１６０２のセンサ値を目標値に近けることができるだけでなく、複数の光センサ群１６０２の間におけるセンサ値のばらつきを低減することもできる
。その結果、上記ムラの発生を抑制したり、上記ムラを低減したりすることができる。
【０１４７】
なお、キャリブレーション処理は上記処理に限られない。各光センサ群１６０２のセンサ値が目標値に近づき、且つ、複数の光センサ群１６０２の間におけるセンサ値のばらつきが低減すれば、キャリブレーション処理の方法は特に限定されない。例えば、Ｓ８０８において、複数の光センサ群に対応する複数のセンサ値が考慮されてもよい。複数の部分発光領域のそれぞれを処理対象として順に選択し、処理対象の部分発光領域のＢＬＥ１０２のみを点灯させ、処理対象の部分発光領域の発光群１６０１と光センサ群１６０２のみを用いて実施例１と同様のキャリブレーション処理が行われてもよい。
【０１４８】
以上述べたように、本実施例によれば、各光センサ群が個別に駆動される。それにより、部分発光領域の発光を個別かつ容易に調整することができる。また、本実施例によれば、各光センサ群のセンサ値が目標値に近づき、且つ、複数の光センサ群の間におけるセンサ値のばらつきが低減するように、各光センサ群が駆動される。それにより、発光装置から発せられた光、表示画像、等におけるムラの発生の抑制、当該ムラの低減、等を実現することができる。
【０１４９】
なお、実施例１〜４の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１５０】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【０１５１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１５２】
１００，４０２：バックライトユニット  １０２：ＢＬＥＤ  ４１６：ＬＥＤ
４１７：量子ドット駆動部  ４１８：量子ドット部材
１０３，９０１，１００１，１１０１，１３０２：Ｒ量子ドット部材
１０４，９０２，１００２，１１０２，１３０３：Ｇ量子ドット部材
１３０１：ＵＶＬＥＤ  １３０４：Ｂ量子ドット部材  １６０１：発光群
【図１】
2018081791.tif 000003
【図２】
2018081791.tif 000004
【図３】
2018081791.tif 000005
【図４】
2018081791.tif 000006
【図５】
2018081791.tif 000007
【図６】
2018081791.tif 000008
【図７】
2018081791.tif 000009
【図８】
2018081791.tif 000010
【図９】
2018081791.tif 000011
【図１０】
2018081791.tif 000012
【図１１】
2018081791.tif 000013
【図１２】
2018081791.tif 000014
【図１３】
2018081791.tif 000015
【図１４】
2018081791.tif 000016
【図１５】
2018081791.tif 000017
【図１６】
2018081791.tif 000018
【図１７】
2018081791.tif 000019